(57)【要約】【課題】削除されたコンテンツと同一または類似のコンテンツを再生することができるようにする。【解決手段】  記録再生制御部は、コンテンツを所定の記録媒体に記録し、所定の記録媒体からコンテンツを読み出して再生する。記録再生制御部は、所定の記録媒体に記録されている削除対象のコンテンツを削除する場合、削除したコンテンツを再生するのに必要な情報を他の情報処理装置に送信して記録させて、削除したコンテンツの再生が指示された場合、他の情報処理装置からの情報に基づいて削除したコンテンツを合成して再生する。本技術は、ネットワークに接続された記録再生装置に適用することができる。【選択図】図５
2012222504.tif 000002
【特許請求の範囲】
【請求項１】
コンテンツを所定の記録媒体に記録し、前記所定の記録媒体からコンテンツを読み出して再生する記録再生制御部を備え、
前記記録再生制御部は、
前記所定の記録媒体に記録されている削除対象のコンテンツを削除する場合、削除した前記コンテンツを再生するのに必要な情報を他の情報処理装置に送信して記録させ、
削除した前記コンテンツの再生が指示された場合、前記他の情報処理装置からの情報に基づいて削除した前記コンテンツを合成して再生する
情報処理装置。
【請求項２】
前記記録再生制御部は、
前記削除対象のコンテンツに対して圧縮符号化処理を施し、その結果得られる圧縮符号化コンテンツを前記他の情報処理装置に送信して記録させ、
削除した前記コンテンツの再生が指示された場合、圧縮符号化コンテンツの形態で前記他の情報処理装置に記録された前記削除対象のコンテンツを読み出し、伸張復号化して再生する
請求項１に記載の情報処理装置。
【請求項３】
前記削除対象のコンテンツについて、その内容の盛上りの度合いを示す盛上り特性の値を時系列に算出する盛上り特性算出部
をさらに備え、
前記記録再生制御部は、前記削除対象のコンテンツのうち、前記盛上り特性算出部により算出された前記盛上り特性の値が所定の閾値以下となった区間に対してのみ、前記圧縮符号化処理を施す
請求項２に記載の情報処理装置。
【請求項４】
前記他の情報処理装置に記録されている複数のコンテンツの中から、削除した前記コンテンツと同一または類似のコンテンツを検索する検索部
をさらに備え、
前記記録再生制御部は、
前記削除対象のコンテンツの内容が識別可能なメタデータを前記所定の記録媒体に記録し、
前記検索部は、
前記記録再生制御部により前記所定の記録媒体に記録された前記メタデータに基づいて、前記他の情報処理装置に記録されている複数のコンテンツの中から、削除された前記コンテンツと同一または類似のコンテンツを検索し、
前記記録再生制御部は、
前記検索部により検索された前記コンテンツと同一または類似のコンテンツを前記他の情報処理装置から読み出して再生する
請求項１に記載の情報処理装置。
【請求項５】
前記メタデータは、前記コンテンツに含まれる複数のシーン毎の特徴量であり、
前記検索部は、削除された前記コンテンツに含まれる複数のシーン毎に、その特徴量と同一又は類似の特徴量を有するシーンを、前記他の情報処理装置に記録されている複数のコンテンツの各々に含まれるシーンの中から検索する
請求項４に記載の情報処理装置。
【請求項６】
前記検索部は、予め設定された許容類似度に応じて、削除された前記コンテンツに含まれる複数のシーン毎に、その特徴量についての類似の範囲を設定する
請求項５に記載の情報処理装置。
【請求項７】
前記検索部により、前記許容類似度が下げられた後に、前記検索部により検索された前記シーンに対して、警告の表示をする表示制御部
をさらに備える請求項６に記載の情報処理装置。
【請求項８】
前記記録再生制御部は、
前記削除対象のコンテンツの内容を識別可能なメタデータを前記他の情報処理装置に送信し、
前記他の情報処理装置から、選択された前記コンテンツと同一または類似のコンテンツを有するさらに他の情報処理装置があるかの検出結果を受信し、
選択された前記コンテンツと同一または類似のコンテンツを有する前記さらに他の情報処理装置があるという前記検出結果が受信された場合、前記メタデータを前記所定の記録媒体に記録させると共に、前記削除対象のコンテンツを削除し、
選択された前記コンテンツと同一または類似のコンテンツを有する前記さらに他の情報処理装置がないという前記検出結果が受信された場合、前記メタデータを前記所定の記録媒体に記録させると共に、前記削除対象のコンテンツに対して圧縮符号化処理を施し、その結果得られる圧縮符号化データを前記他の情報処理装置に送信すると共に、前記削除対象のコンテンツを削除し、
削除した前記コンテンツの再生が指示された場合、前記メタデータを前記他の情報処理装置に送信し、
前記他の情報処理装置によって、前記圧縮符号化データが送信されてきた場合、前記圧縮符号化データを受信し、
前記情報処理装置によって、削除された前記コンテンツと同一または類似のコンテンツが前記さらに他の情報処理装置から読み出されて送信されてきた場合、前記コンテンツを受信する
請求項１に記載の情報処理装置。
【請求項９】
前記メタデータは、前記削除対象のコンテンツの特徴量である
請求項８に記載の情報処理装置。
【請求項１０】
前記記録再生制御部は、前記所定の記録媒体への記録が指示された新たなコンテンツのデータ容量が、前記所定の記録媒体の空き容量に基づく所定量よりも多い場合に、所定の判定基準を満たすコンテンツを前記削除対象のコンテンツとして選択する
請求項１に記載の情報処理装置。
【請求項１１】
前記所定の判定基準は、ユーザによるアクセス頻度が低いという基準である
請求項１０に記載の情報処理装置。
【請求項１２】
前記所定の判定基準は、ユーザの入力機器に対する操作内容が、所定のコンテンツの削除の指示であるという基準である
請求項１０に記載の情報処理装置。
【請求項１３】
コンテンツを所定の記録媒体に記録し、前記所定の記録媒体からコンテンツを読み出して再生する記録再生制御ステップを含み、
前記記録再生制御ステップの処理は、
前記所定の記録媒体に記録されている削除対象のコンテンツを削除する場合、削除した前記コンテンツを再生するのに必要な情報を他の情報処理装置に送信して記録させ、
削除した前記コンテンツの再生が指示された場合、前記他の情報処理装置からの情報に基づいて削除した前記コンテンツを合成して再生する
情報処理方法。
【請求項１４】
コンテンツを所定の記録媒体に記録し、前記所定の記録媒体からコンテンツを読み出して再生するステップを含み、
前記所定の記録媒体に記録されている削除対象のコンテンツを削除する場合、削除した前記コンテンツを再生するのに必要な情報を他の情報処理装置に送信して記録させ、
削除した前記コンテンツの再生が指示された場合、前記他の情報処理装置からの情報に基づいて削除した前記コンテンツを合成して再生する
制御処理をコンピュータに実行させるプログラム。
【請求項１５】
第１の他の情報処理装置が、削除対象のコンテンツを削除する場合に、前記第１の他の情報処理装置から受信した前記削除対象のコンテンツの内容を識別可能なメタデータに基づいて、前記削除対象のコンテンツと同一または類似のコンテンツを有する第２の他の情報処理装置があるかを検出し、
前記第２の他の情報処理装置がある場合、前記第２の他の情報処理装置の情報と前記削除対象のコンテンツと同一または類似のコンテンツのメタデータを記録すると共に、前記第２の他の情報処理装置があるという検出結果を前記第１の他の情報処理装置に送信し、
前記第２の他の情報処理装置がない場合、前記第２の他の情報処理装置がないという前記検出結果を前記第１の他の情報処理装置に送信すると共に、前記削除対象のコンテンツに対して圧縮符号化処理が施された圧縮符号化データを前記第１の他の情報処理装置から受信して記録媒体に記録するメタデータ管理部と、
前記第１の他の情報処理装置において、削除した前記コンテンツの再生が指示された場合に、前記第１の他の情報処理装置から再び受信した前記メタデータに基づいて、前記記録媒体から前記圧縮符号化データを検索し、
前記圧縮符号化データがあった場合、前記圧縮符号化データを前記第１の他の情報処理装置に送信し、
前記圧縮符号化データがなかった場合、削除した前記コンテンツと同一または類似のコンテンツを有する前記第２の他の情報処理装置を検索する検索部と
を備える情報処理装置。
【請求項１６】
前記検索部により、削除した前記コンテンツと同一または類似のコンテンツを有する前記第２の他の情報処理装置が検索された場合、前記第２の他の情報処理装置に対して、前記コンテンツと同一または類似のコンテンツを前記第１の他の情報処理装置に配信可能か否かを問い合わせ、前記第２の他の情報処理装置から配信可の問い合わせ結果を受信した場合には、前記第２の他の情報処理装置から削除した前記コンテンツと同一または類似のコンテンツを読み出して、前記第１の他の情報処理装置に送信するコンテンツ管理部
をさらに備える請求項１５に記載の情報処理装置。
【請求項１７】
第１の他の情報処理装置が、削除対象のコンテンツを削除する場合に、前記第１の他の情報処理装置から受信した前記削除対象のコンテンツの内容を識別可能なメタデータに基づいて、前記削除対象のコンテンツと同一または類似のコンテンツを有する第２の他の情報処理装置があるかを検出し、
前記第２の他の情報処理装置がある場合、前記第２の他の情報処理装置の情報と前記削除対象のコンテンツと同一または類似のコンテンツのメタデータを記録すると共に、前記第２の他の情報処理装置があるという検出結果を前記第１の他の情報処理装置に送信し、
前記第２の他の情報処理装置がない場合、前記第２の他の情報処理装置がないという前記検出結果を前記第１の他の情報処理装置に送信すると共に、前記削除対象のコンテンツに対して圧縮符号化処理が施された圧縮符号化データを前記第１の他の情報処理装置から受信して記録媒体に記録するメタデータ管理ステップと、
前記第１の他の情報処理装置において、削除した前記コンテンツの再生が指示された場合に、前記第１の他の情報処理装置から再び受信した前記メタデータに基づいて、前記記録媒体から前記圧縮符号化データを検索し、
前記圧縮符号化データがあった場合、前記圧縮符号化データを前記第１の他の情報処理装置に送信し、
前記圧縮符号化データがなかった場合、削除した前記コンテンツと同一または類似のコンテンツを有する前記第２の他の情報処理装置を検索する検索ステップと
を含む情報処理方法。
【請求項１８】
第１の他の情報処理装置が、削除対象のコンテンツを削除する場合に、前記第１の他の情報処理装置から受信した前記削除対象のコンテンツの内容を識別可能なメタデータに基づいて、前記削除対象のコンテンツと同一または類似のコンテンツを有する第２の他の情報処理装置があるかを検出し、
前記第２の他の情報処理装置がある場合、前記第２の他の情報処理装置の情報と前記削除対象のコンテンツと同一または類似のコンテンツのメタデータを記録すると共に、前記第２の他の情報処理装置があるという検出結果を前記第１の他の情報処理装置に送信し、
前記第２の他の情報処理装置がない場合、前記第２の他の情報処理装置がないという前記検出結果を前記第１の他の情報処理装置に送信すると共に、前記削除対象のコンテンツに対して圧縮符号化処理が施された圧縮符号化データを前記第１の他の情報処理装置から受信して記録媒体に記録し、
前記第１の他の情報処理装置において、削除した前記コンテンツの再生が指示された場合に、前記第１の他の情報処理装置から再び受信した前記メタデータに基づいて、前記記録媒体から前記圧縮符号化データを検索し、
前記圧縮符号化データがあった場合、前記圧縮符号化データを前記第１の他の情報処理装置に送信し、
前記圧縮符号化データがなかった場合、削除した前記コンテンツと同一または類似のコンテンツを有する前記第２の他の情報処理装置を検索する
ステップを含む制御処理をコンピュータに実行させるプログラム。
【発明の詳細な説明】
【技術分野】
【０００１】
本技術は、情報処理装置及び方法、並びにプログラムに関し、特に、削除されたコンテンツと同一または類似のコンテンツを再生することができる、情報処理装置及び方法、並びにプログラムに関する。
【背景技術】
【０００２】
近年、テレビジョン放送番組等のコンテンツを記録できる記録再生装置が普及している。これらの記録再生装置は、膨大な数のコンテンツを記録媒体に記録することが可能となっている。しかしながら、記録媒体の記録容量は有限であるため、記録媒体の空き容量を確保するための一般的な手法として、記録媒体に記録されているコンテンツの中から所定のコンテンツを削除する手法が用いられている（特許文献１参照）。
【先行技術文献】
【特許文献】
【０００３】
【特許文献１】特開平１１−１７６０９６号公報
【発明の概要】
【発明が解決しようとする課題】
【０００４】
しかしながら、記録媒体の空き容量を確保するために削除されたコンテンツは、その後再生させることはできない。また、ユーザの操作により削除されたコンテンツについても、その後再生させることはできない。
【０００５】
本技術は、このような状況に鑑みてなされたものであり、削除されたコンテンツと同一または類似のコンテンツを再生することができるようにしたものである。
【課題を解決するための手段】
【０００６】
本技術の第１の側面の情報処理装置は、コンテンツを所定の記録媒体に記録し、前記所定の記録媒体からコンテンツを読み出して再生する記録再生制御部を備え、前記記録再生制御部は、前記所定の記録媒体に記録されている削除対象のコンテンツを削除する場合、削除した前記コンテンツを再生するのに必要な情報を他の情報処理装置に送信して記録させ、削除した前記コンテンツの再生が指示された場合、前記他の情報処理装置からの情報に基づいて削除した前記コンテンツを合成して再生する。
【０００７】
前記記録再生制御部は、前記削除対象のコンテンツに対して圧縮符号化処理を施し、その結果得られる圧縮符号化コンテンツを前記他の情報処理装置に送信して記録させ、削除した前記コンテンツの再生が指示された場合、圧縮符号化コンテンツの形態で前記他の情報処理装置に記録された前記削除対象のコンテンツを読み出し、伸張復号化して再生することができる。
【０００８】
前記削除対象のコンテンツについて、その内容の盛上りの度合いを示す盛上り特性の値を時系列に算出する盛上り特性算出部をさらに備え、前記記録再生制御部は、前記削除対象のコンテンツのうち、前記盛上り特性算出部により算出された前記盛上り特性の値が所定の閾値以下となった区間に対してのみ、前記圧縮符号化処理を施すことができる。
【０００９】
前記他の情報処理装置に記録されている複数のコンテンツの中から、削除した前記コンテンツと同一または類似のコンテンツを検索する検索部をさらに備え、前記記録再生制御部は、前記削除対象のコンテンツの内容が識別可能なメタデータを前記所定の記録媒体に記録し、前記検索部は、前記記録再生制御部により前記所定の記録媒体に記録された前記メタデータに基づいて、前記他の情報処理装置に記録されている複数のコンテンツの中から、削除された前記コンテンツと同一または類似のコンテンツを検索し、前記記録再生制御部は、前記検索部により検索された前記コンテンツと同一または類似のコンテンツを前記他の情報処理装置から読み出して再生することができる。
【００１０】
前記メタデータは、前記コンテンツに含まれる複数のシーン毎の特徴量であり、
前記検索部は、削除された前記コンテンツに含まれる複数のシーン毎に、その特徴量と同一又は類似の特徴量を有するシーンを、前記他の情報処理装置に記録されている複数のコンテンツの各々に含まれるシーンの中から検索することができる。
【００１１】
前記検索部は、予め設定された許容類似度に応じて、削除された前記コンテンツに含まれる複数のシーン毎に、その特徴量についての類似の範囲を設定することができる。
【００１２】
前記検索部により、前記許容類似度が下げられた後に、前記検索部により検索された前記シーンに対して、警告の表示をする表示制御部をさらに備えることができる。
【００１３】
前記記録再生制御部は、前記削除対象のコンテンツの内容を識別可能なメタデータを前記他の情報処理装置に送信し、前記他の情報処理装置から、選択された前記コンテンツと同一または類似のコンテンツを有するさらに他の情報処理装置があるかの検出結果を受信し、選択された前記コンテンツと同一または類似のコンテンツを有する前記さらに他の情報処理装置があるという前記検出結果が受信された場合、前記メタデータを前記所定の記録媒体に記録させると共に、前記削除対象のコンテンツを削除し、選択された前記コンテンツと同一または類似のコンテンツを有する前記さらに他の情報処理装置がないという前記検出結果が受信された場合、前記メタデータを前記所定の記録媒体に記録させると共に、前記削除対象のコンテンツに対して圧縮符号化処理を施し、その結果得られる圧縮符号化データを前記他の情報処理装置に送信すると共に、前記削除対象のコンテンツを削除し、削除した前記コンテンツの再生が指示された場合、前記メタデータを前記他の情報処理装置に送信し、前記他の情報処理装置によって、前記圧縮符号化データが送信されてきた場合、前記圧縮符号化データを受信し、前記情報処理装置によって、削除された前記コンテンツと同一または類似のコンテンツが前記さらに他の情報処理装置から読み出されて送信されてきた場合、前記コンテンツを受信することができる。
【００１４】
前記メタデータは、前記削除対象のコンテンツの特徴量とすることができる。
【００１５】
前記記録再生制御部は、前記所定の記録媒体への記録が指示された新たなコンテンツのデータ容量が、前記所定の記録媒体の空き容量に基づく所定量よりも多い場合に、所定の判定基準を満たすコンテンツを前記削除対象のコンテンツとして選択することができる。
【００１６】
前記所定の判定基準は、ユーザによるアクセス頻度が低いという基準とすることができる。
【００１７】
前記所定の判定基準は、ユーザの入力機器に対する操作内容が、所定のコンテンツの削除の指示であるという基準とすることができる。
【００１８】
本技術の第１の側面の情報処理方法及びプログラムは、上述した本技術の第１の側面の情報処理装置に対応する方法及びプログラムである。
【００１９】
本技術の第１の側面の情報処理装置及び方法並びにプログラムにおいては、コンテンツが所定の記録媒体に記録され、前記所定の記録媒体からコンテンツが読み出されて再生され、前記所定の記録媒体に記録されている削除対象のコンテンツが削除される場合、削除された前記コンテンツを再生するのに必要な情報が他の情報処理装置に送信されて記録され、削除された前記コンテンツの再生が指示された場合、前記他の情報処理装置からの情報に基づいて削除された前記コンテンツが合成されて再生される。
【００２０】
本技術の第２の側面の情報処理装置は、第１の他の情報処理装置が、削除対象のコンテンツを削除する場合に、前記第１の他の情報処理装置から受信した前記削除対象のコンテンツの内容を識別可能なメタデータに基づいて、前記削除対象のコンテンツと同一または類似のコンテンツを有する第２の他の情報処理装置があるかを検出し、前記第２の他の情報処理装置がある場合、前記第２の他の情報処理装置の情報と前記削除対象のコンテンツと同一または類似のコンテンツのメタデータを記録すると共に、前記第２の他の情報処理装置があるという検出結果を前記第１の他の情報処理装置に送信し、前記第２の他の情報処理装置がない場合、前記第２の他の情報処理装置がないという前記検出結果を前記第１の他の情報処理装置に送信すると共に、前記削除対象のコンテンツに対して圧縮符号化処理が施された圧縮符号化データを前記第１の他の情報処理装置から受信して記録媒体に記録するメタデータ管理部と、前記第１の他の情報処理装置において、削除した前記コンテンツの再生が指示された場合に、前記第１の他の情報処理装置から再び受信した前記メタデータに基づいて、前記記録媒体から前記圧縮符号化データを検索し、前記圧縮符号化データがあった場合、前記圧縮符号化データを前記第１の他の情報処理装置に送信し、前記圧縮符号化データがなかった場合、削除した前記コンテンツと同一または類似のコンテンツを有する前記第２の他の情報処理装置を検索する検索部とを備える。
【００２１】
前記検索部により、削除した前記コンテンツと同一または類似のコンテンツを有する前記第２の他の情報処理装置が検索された場合、前記第２の他の情報処理装置に対して、前記コンテンツと同一または類似のコンテンツを前記第１の他の情報処理装置に配信可能か否かを問い合わせ、前記第２の他の情報処理装置から配信可の問い合わせ結果を受信した場合には、前記第２の他の情報処理装置から削除した前記コンテンツと同一または類似のコンテンツを読み出して、前記第１の他の情報処理装置に送信するコンテンツ管理部をさらに備えることができる。
【００２２】
本技術の第２の側面の情報処理方法及びプログラムは、上述した本技術の第２の側面の情報処理装置に対応する方法及びプログラムである。
【００２３】
本技術の第２の側面の情報処理装置及び方法並びにプログラムにおいては、第１の他の情報処理装置において、削除対象のコンテンツが削除される場合に、前記第１の他の情報処理装置から受信した前記削除対象のコンテンツの内容を識別可能なメタデータに基づいて、前記削除対象のコンテンツと同一または類似のコンテンツを有する第２の他の情報処理装置があるかが検出され、前記第２の他の情報処理装置がある場合、前記第２の他の情報処理装置の情報と前記削除対象のコンテンツと同一または類似のコンテンツのメタデータが記録されると共に、前記第２の他の情報処理装置があるという検出結果が前記第１の他の情報処理装置に送信され、前記第２の他の情報処理装置がない場合、前記第２の他の情報処理装置がないという前記検出結果が前記第１の他の情報処理装置に送信されると共に、前記削除対象のコンテンツに対して圧縮符号化処理が施された圧縮符号化データが前記第１の他の情報処理装置から受信されて記録媒体に記録され、前記第１の他の情報処理装置において、削除された前記コンテンツの再生が指示された場合に、前記第１の他の情報処理装置から再び受信された前記メタデータに基づいて、前記記録媒体から前記圧縮符号化データが検索され、前記圧縮符号化データがあった場合、前記圧縮符号化データが前記第１の他の情報処理装置に送信され、前記圧縮符号化データがなかった場合、削除した前記コンテンツと同一または類似のコンテンツを有する前記第２の他の情報処理装置が検索される。
【発明の効果】
【００２４】
以上のごとく、本技術によれば、削除されたコンテンツと同一または類似のコンテンツを再生することができる。
【図面の簡単な説明】
【００２５】
【図１】第１実施形態が適用されるコンテンツ管理システムの構成を示す図である。
【図２】盛上り特性を用いたアーカイブ処理について説明する図である。
【図３】ユーザ用記録再生システムの構成例を示すブロック図である。
【図４】サーバの構成例を示すブロック図である。
【図５】システムコントローラの機能的構成例を示すブロック図である。
【図６】盛上り特性に基づくアーカイブ処理の流れを説明するフローチャートである。
【図７】コンテンツ再生処理の流れを説明するフローチャートである。
【図８】第２実施形態が適用されるコンテンツ管理システムの構成を示す図である。
【図９】コンテンツの再生について説明する図である。
【図１０】システムコントローラの機能的構成例を示すブロック図である。
【図１１】コンテンツ削除処理の流れを説明するフローチャートである。
【図１２】コンテンツ再生処理の流れを説明するフローチャートである。
【図１３】第３実施形態が適用されるコンテンツ管理システムの構成を示す図である。
【図１４】コンテンツの再生について説明する図である。
【図１５】管理部の機能的構成例を示すブロック図である。
【図１６】コンテンツ削除処理の流れを説明するフローチャートである。
【図１７】削除時コンテンツ管理処理の流れを説明するフローチャートである。
【図１８】コンテンツ再生処理の流れを説明するフローチャートである。
【図１９】再生時コンテンツ管理処理の流れを説明するフローチャートである。
【発明を実施するための形態】
【００２６】
本技術の実施形態として、３つの実施形態（以下、それぞれ第１実施形態乃至第３実施形態と称する）について、以下の順序で説明する。
１．第１実施形態（コンテンツにアーカイブ処理を施す例）
２．第２実施形態（メタデータのみを記録してコンテンツデータを削除する例）
３．第３実施形態（他のユーザ用記録再生システムに記録されているコンテンツの中から、類似コンテンツを検索する例）
【００２７】
ここで、コンテンツとは、映画、音楽、演劇、文芸、写真、漫画、アニメーション、コンピュータゲームその他の文字、図形、色彩、音声、動作若しくは映像若しくはこれらを組み合わせたもの又はこれらに係る情報を電子計算機を介して提供するためのプログラム（電子計算機に対する指令であって、一の結果を得ることができるように組み合わせたものをいう）をいう。ただし、本実施形態では、コンテンツとして映像（動画像）が採用されているものとする。また、本実施形態では、コンテンツは、記録媒体に記録されるため、その記録媒体に記録可能なデータの形態を取る。
【００２８】
以下、図面を参照して、本技術の実施の形態について説明する。
【００２９】
＜１．第１実施形態＞
[コンテンツ管理システムの構成例]
図１は、本技術の第１実施形態が適用されるコンテンツ管理システムの構成を示すブロック図である。
【００３０】
図１のコンテンツ管理システム１は、ユーザ用記録再生システム１１及びサーバ１２が、インターネット２１を介して相互に接続されて構成されている。ユーザ用記録再生システム１１は、記録再生装置３１及びディスプレイ３２により構成されている。
【００３１】
記録再生装置３１は、コンテンツを記録媒体に記録し、当該コンテンツを記録媒体から読み出して再生することができる。ただし、記録媒体の記録容量は有限であるため、記録再生装置３１は、新たなコンテンツを記録媒体に記録する前に、当該新たなコンテンツのデータ容量に対して当該記録媒体の空き容量が十分にあるかを判定する。
【００３２】
記録再生装置３１は、新たなコンテンツの記録に際して記録媒体の空き容量が十分にないと判定すると、アーカイブ処理を実行する。すなわち、記録再生装置３１は、記録媒体への記録が指示された新たなコンテンツのデータ容量が、当該記録媒体の空き容量に基づく所定量よりも多い場合に、アーカイブ処理を実行する。
【００３３】
アーカイブ処理とは、次のような一連の処理をいう。すなわち、装置（本実施形態では、記録再生装置３１）は、所定の記録媒体（本実施形態では、記録再生装置３１の記録媒体）に記録されている１以上のコンテンツ（以下、記録済みコンテンツと称する）の中から、所定の判定基準を満たすコンテンツを、アーカイブ対象のコンテンツとして選択する。装置は、アーカイブ対象のコンテンツに対して所定の圧縮符号化処理を施す。なお、以下、圧縮符号化が施されたコンテンツを、圧縮符号化コンテンツと呼ぶ。装置は、圧縮符号化コンテンツを、当該所定の記録媒体とは異なる記録媒体（本実施形態では、サーバ１２の記録媒体）に記録する。このような一連の処理がアーカイブ処理であり、当該アーカイブ処理が施されたコンテンツは、当該所定の記録媒体から削除される。
【００３４】
ここで、アーカイブ対象を選択するための所定の判定基準は、特に限定されず、例えば所定の記録媒体に記録されてからの経過時間が最長であるという基準であってもよいが、本実施形態においては、ユーザによるアクセス頻度が低いという基準が採用されている。すなわち、本実施形態においては、記録再生装置３１は、１以上の記録済みコンテンツのうち、ユーザによるアクセス頻度が低い（例えば、最も低いか、所定の基準値より低い）コンテンツ、例えばコンテンツ４１を、アーカイブ対象のコンテンツとして選択する。記録再生装置３１は、アーカイブ対象のコンテンツ４１に対して所定の圧縮符号化処理を施し、その結果得られる圧縮符号化コンテンツ４１を、当該所定の記録媒体とは異なるサーバ１２の記録媒体に記録する。
【００３５】
さらに、アーカイブ対象を選択するための所定の判定基準の個数は、特に限定されず、本実施形態では２つとされている。すなわち、本実施形態では、上述のアクセス頻度が低いという判定基準のみならず、さらに、ユーザの入力機器（すなわち、リモートコントローラ等）に対する操作内容が、所定のコンテンツの削除の指示であるという判定基準が採用されている。
【００３６】
例えば、コンテンツ４１が、アクセス頻度が低いという判定基準を満たしていない状態でユーザが入力機器を操作してコンテンツ４１の削除の指示を出したとする。この場合、記録再生装置３１は、コンテンツ４１に対してアーカイブ処理を施し、圧縮符号化データの形態で、別の記録媒体であるサーバ１２の記録媒体に記録させる。このようにして、ユーザが誤ってコンテンツ４１を削除した場合にも、コンテンツ４１にはアーカイブ処理が施されて、サーバ１２の記録媒体に記録される。
【００３７】
サーバ１２は、記録再生装置３１から圧縮符号化コンテンツ４１を受信して記録する。これにより、コンテンツ４１は、アーカイブ処理が施された状態（以下、アーカイブ状態と称する）となる。
【００３８】
記録再生装置３１は、アーカイブ状態のコンテンツ４１を再生させる場合、サーバ１２から圧縮符号化コンテンツ４１を受信して伸張復号化して再生し、ディスプレイ３２に表示させる。
【００３９】
記録再生装置３１は、コンテンツ４１にアーカイブ処理を施す場合、コンテンツ４１の全区間を対象にしても、一部の区間を対象にしてもよい。記録再生装置３１は、コンテンツ４１の一部の区間を対象にアーカイブ処理を施す場合、例えば、コンテンツ４１の内容の盛上りの度合いに応じてアーカイブ処理を施す。すなわち、記録再生装置３１は、コンテンツ４１の内容が盛上っていないと判定される区間にのみアーカイブ処理を施し、盛上っていると判定される区間については記録再生装置３１に記録したままにする。
【００４０】
コンテンツ４１の内容の盛上りの度合いに応じてアーカイブ処理を施す例について、図２を用いて説明する。
【００４１】
[盛上り特性を用いたアーカイブ処理]
図２は、盛上り特性を用いたアーカイブ処理について説明する図である。
【００４２】
盛上り特性は、コンテンツの内容の盛上りの度合いを示す値の時間推移であり、その値が高いほど盛上っていることを示す。盛上り度合いとは、多数の視聴者にとって、盛上っていると感じる度合いの推定量である。盛上り特性は、コンテンツの画像特徴量の変化、及び音声特徴量の変化に応じて算出される値である。
【００４３】
図２の一番上に示されるグラフは、アーカイブ対象のコンテンツ４１の盛上り特性を示すグラフである。グラフの縦軸は、盛上り特性の瞬時値を示し、横軸は時間を示している。また、盛上り特性には、予め所定の閾値Ｌが設定されている。
【００４４】
図２の上から２番目に示される図は、アーカイブ対象のコンテンツ４１を示している。コンテンツ４１は、シーン４１−１乃至４１−Ｍ（Ｍは２以上の整数値）から構成される。シーンは、コンテンツから区分された所定の区間の映像であり、１つのコンテンツは、複数のシーンの集合体からなる。シーン４１−１乃至４１−Ｍのそれぞれは、その順番で連続して再生される。なお、図２においては、Ｍ＝８以上とされており、シーン４１−１乃至４１−Ｍのうち、シーン４１−１乃至４１−８のみが示されている。
【００４５】
上から２番目の図に示されるように、シーン４１−１，４１−２が含まれるコンテンツ４１の区間Ｒ１は、盛上り特性の値が閾値Ｌ以下であるため、アーカイブ処理の対象となる。具体的には、シーン４１−１，４１−２が含まれるコンテンツ４１の区間Ｒ１は、所定の圧縮符号化処理が施されて圧縮符号化データ５１−１となる。そして、圧縮符号化データ５１−１は、インターネット２１を介してサーバ１２に送信され、サーバ１２の記録媒体に記録されてアーカイブ状態となる。その結果、シーン４１−１，４１−２は、記録再生装置３１の記録媒体から削除される。
【００４６】
同様に、シーン４１−３，４１−４が含まれるコンテンツ４１の区間Ｒ２は、盛上り特性の値が閾値Ｌ以下であるため、アーカイブ処理の対象となる。具体的には、シーン４１−３，４１−４が含まれるコンテンツ４１の区間Ｒ２は、所定の圧縮符号化処理が施されて圧縮符号化データ５１−２となる。そして、圧縮符号化データ５１−２は、インターネット２１を介してサーバ１２に送信され、サーバ１２の記録媒体に記録されてアーカイブ状態となる。その結果、シーン４１−３，４１−４は、記録再生装置３１の記録媒体から削除される。
【００４７】
一方、シーン４１−５，４１−６が含まれるコンテンツ４１の区間Ｒ３は、盛上り特性の値が閾値よりも大きい値であるため、アーカイブ処理の対象とならない。したがって、シーン４１−５，４１−６が含まれるコンテンツ４１の区間Ｒ３は、記録再生装置３１の記録媒体に記録されたままとなる。
【００４８】
シーン４１−７，４１−８が含まれるコンテンツ４１の区間Ｒ４は、盛上り特性の値が閾値Ｌ以下であるため、アーカイブ処理の対象となる。具体的には、シーン４１−７，４１−８が含まれるコンテンツ４１の区間Ｒ４は、所定の圧縮符号化処理が施されて圧縮符号化データ５１−３となる。そして、圧縮符号化データ５１−３は、インターネットを介してサーバ１２に送信され、サーバ１２の記録媒体に記録されてアーカイブ状態となる。その結果、シーン４１−７，４１−８は、記録再生装置３１の記録媒体から削除される。
【００４９】
このように、記録再生装置３１は、新たなコンテンツを記録媒体に記録する前に、当該新たなコンテンツのデータ容量に対して当該記録媒体の空き容量が十分にないと判定すると、アーカイブ対象のコンテンツ４１の一部の区間であるＲ１，Ｒ２，Ｒ４にアーカイブ処理を施して記録媒体から削除する。したがって、記録再生装置３１の記録媒体には、アーカイブ対象のコンテンツ４１の区間Ｒ１，Ｒ２，Ｒ４のデータ分の空き容量が確保される。
【００５０】
また、記録再生装置３１は、ユーザの明示の操作がなくとも、自律的な判断で、記録媒体の空き容量がなくなる前に、空き容量を確保すべくアーカイブ処理を実行する。これにより、記録媒体には、新たなコンテンツの記録に必要な空き容量が確保された状態になるので、ユーザは空き容量があるか否かを意識することなく、所望のコンテンツを記録媒体に記録させる指示をすることができる。
【００５１】
記録再生装置３１は、アーカイブ状態のコンテンツ４１の再生が指示された場合、サーバ１２から圧縮符号化データ５１−１乃至５１−３を受信して、記録媒体に記録する。そして、記録再生装置３１は、圧縮符号化データ５１−１乃至５１−３を伸張復号化してシーン４１−１乃至４１−４，４１−７，４１−８とし、記録再生装置３１に記録されているシーン４１−５，４１−６を含むコンテンツを合成して再生し、ディスプレイ３２に表示させる。
【００５２】
このように、コンテンツ４１にアーカイブ処理が施された結果、ユーザは、実際には記録再生装置３１から削除されているコンテンツ４１を視聴することができる。すなわち、ユーザは、誤ってコンテンツ４１を削除した場合にも、コンテンツ４１を視聴することができる。
【００５３】
なお、記録再生装置３１は、アーカイブ処理が施されたコンテンツ４１の再生の指示がされた場合、コンテンツ４１がアーカイブ状態である旨の表示を行う。そして、記録再生装置３１は、コンテンツ４１の全区間の再生、または盛上り区間のみの再生の指示が選択可能な表示をする。
【００５４】
コンテンツ４１の全区間の再生が指示された場合、記録再生装置３１は、上述したように、サーバ１２から圧縮符号化データ５１−１乃至５１−３を受信して伸張復号化し、記録再生装置３１に記録されているシーン４１−５，４１−６を含むコンテンツを合成して再生する。
【００５５】
一方、コンテンツ４１の盛上り区間のみの再生が指示された場合、記録再生装置３１は、記録媒体に記録されているシーン４１−５，４１−６を読み出して再生する。したがって、コンテンツ４１の盛上り区間のみの再生が指示された場合は、コンテンツ４１の全区間の再生が指示された場合と比較して、再生を行うまでの処理時間が短くなる。
【００５６】
[ユーザ用記録再生システムの構成例]
図３は、図１のコンテンツ管理システム１のうちのユーザ用記録再生システム１１の構成例を示すブロック図である。
【００５７】
ユーザ用記録再生システム１１は、ネットワークＩ/Ｆ部６１、チューナ６２、記録処理部６４、画像音声特徴抽出部６５、操作部６６、Ｉ/Ｆ部６７、メモリ６８、及びディスクドライブ６９が、コントロールバス７７により相互に接続されることにより構成される。また、ユーザ用記録再生システム１１は、記録媒体７１、再生制御部７２、再生処理部７３、表示処理部７４、及びシステムコントローラ７５が、コントロールバス７７により相互に接続されることにより構成される。表示処理部７４には、ディスプレイ３２が接続されている。ユーザ用記録再生システム１１の各構成要素のデータは、データバス７６を介して送受信される。
【００５８】
ユーザ用記録再生システム１１は、ネットワークＩ/Ｆ部６１を介してインターネット２１に接続されている。すなわち、サーバ１２から送信されるコンテンツは、インターネット２１からネットワークＩ/Ｆ部６１に受信され、記録処理部６４に供給される。
【００５９】
チューナ６２は、サーバ１２から送信された圧縮符号化コンテンツの電波を、アンテナ６３によって受信する。チューナ６２は、受信した電波を復調し、その結果映像信号となったコンテンツに対して各種処理を施し、記録処理部６４に供給する。
【００６０】
また、チューナ６２は、複数の放送局のうち選局された放送局の放送波に対応する放送信号をアンテナ６３によって受信し、その放送信号に対して各種処理をし、記録処理部６４に供給する。なお、放送信号には、放送予定又は放送中のテレビジョン放送番組のEPG（Electronic Program Guide）情報が含まれている場合がある。
【００６１】
記録処理部６４は、チューナ６２に受信されたコンテンツの映像信号等を、記録媒体７１に記録するために適した形態、例えば所定の圧縮符号化方式に準拠した圧縮符号化データの形態に変換し、記録媒体７１に記録させる。
【００６２】
画像音声特徴抽出部６５は、コンテンツ毎、またはコンテンツに含まれるシーン毎に画像特徴量と音声特徴量（以下、特徴量と称する）を抽出し、システムコントローラ７５に供給する。なお、特徴量は、コンテンツの内容の盛上りの度合いを表す盛上り特性の算出に用いられる。
【００６３】
操作部６６は、ボタンやダイヤルを有するリモートコントローラ等により構成され、ユーザによる所定操作を受け付ける。ユーザは、操作部６６を操作することにより、コンテンツの再生、記録等を指示することができる。
【００６４】
Ｉ/Ｆ部６７は、操作部６６により受け付けられた所定操作に基づいた操作信号を、システムコントローラ７５に供給する。
【００６５】
メモリ６８は、ROM（Read Only Memory）、RAM（Random Access Memory）等により構成され、システムコントローラ７５が各種処理を実行する上において必要なデータ等が適宜記憶される。
【００６６】
ディスクドライブ６９には、磁気ディスク、光ディスク、光磁気ディスク、或いは半導体メモリ等よりなるリムーバブルメディア７０が適宜装着される。
【００６７】
記録媒体７１は、ハードディスク、フラッシュメモリ等により構成され、記録処理部６４から供給された圧縮符号化コンテンツを記録する。
【００６８】
再生制御部７２は、システムコントローラ７５の指示に基づいて、再生処理部７３の処理を制御する。
【００６９】
再生処理部７３は、記録媒体７１に記録されている圧縮符号化コンテンツを、再生制御部７２の制御に従って再生する。
【００７０】
表示処理部７４は、再生処理部７３によって再生されるコンテンツを、ディスプレイ３２に表示するために適した形態に変換し、ディスプレイ３２に供給する。
【００７１】
ディスプレイ３２は、表示処理部７４から供給されるコンテンツを表示する。
【００７２】
システムコントローラ７５は、ユーザ用記録再生システム１１全体の処理を制御する。システムコントローラ７５の詳細な機能については、図５を用いて後述する。
【００７３】
[サーバの構成例]
図４は、図１のコンテンツ管理システム１のうちのサーバ１２の構成例を示すブロック図である。
【００７４】
サーバ１２は、ネットワークＩ/Ｆ部９１、管理部９２、記録媒体９３が、インター/イントラネットワーク９４により相互に接続されることにより構成される。
【００７５】
サーバ１２は、ネットワークＩ/Ｆ部９１を介してインターネット２１に接続されている。
【００７６】
管理部９２は、ユーザ用記録再生システム１１から送信されるコンテンツ等を管理する。
【００７７】
記録媒体９３は、ハードディスク、フラッシュメモリ等により構成され、ユーザ用記録再生システム１１から送信されるコンテンツ等を記録する。
【００７８】
[システムコントローラの機能的構成例]
図５は、ユーザ用記録再生システム１１のシステムコントローラ７５の機能的構成例を示すブロック図である。
【００７９】
システムコントローラ７５は、記録再生制御部１３１、盛上り特性算出部１３２、及び表示制御部１３３から構成されている。
【００８０】
記録再生制御部１３１は、コンテンツを記録媒体７１に記録し、記録媒体７１からコンテンツを読み出して再生する。また、記録再生制御部１３１は、記録媒体７１の空き容量の監視、コンテンツの記録と再生、およびコンテンツのアーカイブ処理を実行する。
【００８１】
盛上り特性算出部１３２は、画像音声特徴抽出部６５から供給された、コンテンツに含まれるシーン毎の特徴量から、盛上り特性を算出する。すなわち、盛上り特性算出部１３２は、コンテンツ４１の画像特徴量の変化（すなわち、画像特徴量の変化が激しいほど盛上っていると判断できる）、及び音声特徴量の変化（すなわち、音声レベルが高いほど盛上っていると判断できる）に応じて盛上り特性の値を算出する。
【００８２】
表示制御部１３３は、ユーザに対する問い合わせ等をディスプレイ３２に表示させるための制御を実行する。
【００８３】
次に、図２を用いて説明した盛上り特性に基づくアーカイブ処理と、当該処理によりアーカイブ処理が施されたコンテンツを再生させる処理（以下、コンテンツ再生処理と称する）について、それぞれ図６と図７を用いて説明する。
【００８４】
[盛上り特性に基づくアーカイブ処理]
図６は、盛上り特性に基づくアーカイブ処理の流れを説明するフローチャートである。
【００８５】
盛上り特性に基づくアーカイブ処理は、ユーザによる所定操作を受け付けた操作部６６からの操作信号に従って、新たなコンテンツの記録が指示されると開始される。
【００８６】
ステップＳ１１において、記録再生制御部１３１は、記録媒体７１に新たなコンテンツの記録に必要な空き容量はあるかを判定する。
【００８７】
コンテンツとして番組が採用された場合には、例えば、次のようにしてコンテンツの記録に必要な記録媒体７１の空き容量が算出される。上述したように、本実施形態では、放送信号に含まれるEPG情報が、チューナ６２から適宜受信され、記録媒体７１に予め記録されている。そこで、記録再生制御部１３１は、例えば、番組を含むEPG情報を記録媒体７１から読み出し、そのEPG情報から番組の放送開始時刻および放送終了時刻を取得し、これらの時刻から、番組の放送時間を算出する。そして、記録再生制御部１３１は、この放送時間に基づいて番組の記録に必要な容量を算出し、記録媒体７１の空き容量と比較することによって、記録に必要な空き容量はあるかを判定する。
【００８８】
記録に必要な空き容量がある場合、ステップＳ１１においてＹＥＳであると判定されて、処理はステップＳ１２に進む。
【００８９】
ステップＳ１２において、記録再生制御部１３１は、記録媒体７１に新たなコンテンツを記録する。すなわちこの場合には、新たなコンテンツがそのまま記録媒体７１に記録される。
【００９０】
これにより、盛上り特性に基づくアーカイブ処理は終了する。
【００９１】
これに対して、記録に必要な空き容量がない場合、ステップＳ１１においてＮＯであると判定されて、処理はステップＳ１３に進む。
【００９２】
ステップＳ１３において、記録再生制御部１３１は、アクセス頻度に基づきアーカイブ対象のコンテンツを選択する。すなわち、記録再生制御部１３１は、記録済みコンテンツの中から、ユーザによるアクセス頻度が低いコンテンツをアーカイブ対象のコンテンツとして選択する。以下、アーカイブ対象のコンテンツとして、図２に示されるコンテンツ４１が選択されたとして説明する。
【００９３】
ステップＳ１４において、盛上り特性算出部１３２は、コンテンツ４１に含まれるシーンの盛上り特性を算出する。すなわち、盛上り特性算出部１３２は、画像音声特徴抽出部６５により抽出されたコンテンツ４１に含まれるシーン毎の特徴量から、コンテンツ４１に含まれるシーンの盛上り特性を算出する。具体的には、例えば、盛上り特性算出部１３２は、図２に示されるシーン４１−１の盛上り特性を算出する。
【００９４】
ステップＳ１５において、盛上り特性算出部１３２は、シーン４１−１の盛上り特性の値は閾値Ｌ以下であるかを判定する。
【００９５】
盛上り特性の値が閾値Ｌ以下である場合、ステップＳ１５においてＹＥＳであると判定されて、処理はステップＳ１７に進む。例えば、図２に示されるように、シーン４１−１の盛上り特性の値は閾値Ｌ以下であるため、ステップＳ１５においてＹＥＳであると判定される。なお、ステップＳ１７以降の処理については後述する。
【００９６】
これに対して、盛上り特性の値が閾値Ｌよりも大きい場合、ステップＳ１５においてＮＯであると判定されて、処理はステップＳ１６に進む。例えば、図２のシーン４１−５のように、盛上り特性の値が閾値Ｌよりも大きい場合には、ステップＳ１５においてＮＯであると判定される。
【００９７】
ステップＳ１６において、盛上り特性算出部１３２は、次のシーンを処理対象にすると、処理はステップＳ１４に戻され、それ以降の処理が繰り返される。すなわち、シーンの盛上り特性が閾値Ｌ以下となるまでの間、ステップＳ１４乃至Ｓ１６のループ処理が繰り返される。ステップＳ１４乃至Ｓ１６のループ処理が繰り返される間、盛上り特性の値が閾値Ｌよりも大きいシーンはアーカイブ処理の対象とはされずに、そのまま記録媒体７１に記録された状態となる。
【００９８】
その後、シーンの盛上り特性が閾値Ｌ以下となった場合、ステップＳ１５においてＹＥＳであると判定されて、処理はステップＳ１７に進む。
【００９９】
ステップＳ１７において、記録再生制御部１３１は、アーカイブ処理を実行する。すなわち、記録再生制御部１３１は、盛上り特性が閾値Ｌ以下であるシーンに所定の圧縮符号化処理を施し、サーバ１２に送信する。これにより、当該シーンは記録媒体７１から削除される。例えば、図２に示されるように、シーン４１−１，４１−２は、所定の圧縮符号化処理が施されて圧縮符号化データ５１−１とされ、インターネット２１を介してサーバ１２に送信される。そして、圧縮符号化データ５１−１はサーバ１２の記録媒体９３に記録されてアーカイブ状態となる。その結果、シーン４１−１，４１−２は、記録媒体７１から削除される。
【０１００】
ステップＳ１８において、記録再生制御部１３１は、コンテンツ４１に含まれる全てのシーンについて処理が終了したかを判定する。すなわち、記録再生制御部１３１は、図２に示されるように、コンテンツ４１に含まれるシーン４１−１乃至４１−Ｍの全てについて処理が終了したかを判定する。
【０１０１】
まだ全てのシーンについて処理が終了していない場合、ステップＳ１８においてＮＯであると判定されて、処理はステップＳ１６に戻され、それ以降の処理が繰り返される。すなわち、全てのシーンについて処理が終了するまでの間、ステップＳ１４乃至Ｓ１８のループ処理が繰り返される。
【０１０２】
その後、全てのシーンについて処理が終了すると、ステップＳ１８においてＹＥＳであると判定されて、処理はステップＳ１９に進む。
【０１０３】
ステップＳ１９において、記録再生制御部１３１は、記録媒体７１に記録に必要な空き容量は確保されたかを判定する。すなわち、記録再生制御部１３１は、アーカイブ対象のコンテンツ４１の一部の区間（すなわち、盛上っていない区間）が記録媒体７１から削除されたことにより、記録媒体７１に新たなコンテンツの記録に必要な空き容量が確保されたかを判定する。
【０１０４】
まだ記録媒体７１に記録に必要な空き容量が確保されていない場合、ステップＳ１９においてＮＯであると判定されて、処理はステップＳ１３に戻され、それ以降の処理が繰り返される。すなわち、記録媒体７１に新たなコンテンツの記録に必要な空き容量が確保されるまでの間、ステップＳ１３乃至Ｓ１９のループ処理が繰り返される。
【０１０５】
その後、記録媒体７１に新たなコンテンツの記録に必要な空き容量が確保されると、ステップＳ１９においてＹＥＳであると判定されて、処理はステップＳ２０に進む。
【０１０６】
ステップＳ２０において、記録再生制御部１３１は、記録媒体７１に新たなコンテンツを記録する。
【０１０７】
これにより、盛上り特性に基づくアーカイブ処理は終了する。
【０１０８】
なお、図６の例は、アーカイブ対象を選択するための所定の判定基準として、ユーザによるアクセス頻度が低いという基準が採用された場合について説明した。しかしながら、上述したように、ユーザの入力機器に対する操作内容が、所定のコンテンツの削除の指示であるという判定基準が採用されてもよい。すなわち、ユーザによる所定操作を受け付けた操作部６６からの操作信号に従って、コンテンツ４１が削除された場合にも、コンテンツ４１にはアーカイブ処理が施される。
【０１０９】
この場合、図６の処理はステップＳ１３から開始され、ステップＳ１３で、ユーザによる所定操作を受け付けた操作部６６からの操作信号に従って削除が指示されたコンテンツが、アーカイブ対象のコンテンツとなる。その後の処理については、図６のステップＳ１４乃至Ｓ１８の処理と同様である。そして、ステップＳ１８でＹＥＳと判定された場合、処理は終了する。
【０１１０】
以上の盛上り特性に基づくアーカイブ処理が実行された結果、アーカイブ対象のコンテンツは、サーバ１２の記録媒体９３に記録されてアーカイブ状態となり、記録媒体７１から削除されている。したがって、記録媒体７１には、新たなコンテンツの記録に必要な空き容量が確保される。
【０１１１】
また、アーカイブ処理の結果、記録媒体７１から削除されたコンテンツであっても、当該コンテンツはサーバ１２に記録される。したがって、ユーザは、記録媒体７１から削除されたコンテンツであっても、再生させることができる。
【０１１２】
[コンテンツ再生処理]
図７は、コンテンツ再生処理の流れを説明するフローチャートである。
【０１１３】
コンテンツ再生処理は、ユーザによる所定操作を受け付けた操作部６６からの操作信号に従って、コンテンツの再生が指示されると開始される。
【０１１４】
ステップＳ３１において、記録再生制御部１３１は、再生が指示されたコンテンツは、削除済みのコンテンツであるかを判定する。すなわち、記録再生制御部１３１は、再生が指示されたコンテンツが、アーカイブ処理が施された結果、記録媒体７１から削除されているコンテンツであるかを判定する。
【０１１５】
再生が指示されたコンテンツが削除済みのコンテンツではない場合、ステップＳ３１においてＮＯであると判定されて、処理はステップＳ３２に進む。
【０１１６】
ステップＳ３２において、記録再生制御部１３１は、再生が指示されたコンテンツを再生する。再生が指示されたコンテンツが削除済みのコンテンツではない場合、当該コンテンツは記録媒体７１に記録されたままである。したがって、記録再生制御部１３１は、記録媒体７１に記録されている当該コンテンツを読み出して再生する。
【０１１７】
これにより、コンテンツの再生処理は終了する。
【０１１８】
これに対して、再生が指示されたコンテンツが削除済みのコンテンツである場合、ステップＳ３１においてＹＥＳであると判定されて、処理はステップＳ３３に進む。以下、削除済みのコンテンツは、図６の処理で削除されたコンテンツ４１であるとして説明する。
【０１１９】
ステップＳ３３において、表示制御部１３３は、選択されたコンテンツ４１は、アーカイブ状態であることを表示する。
【０１２０】
ステップＳ３４において、表示制御部１３３は、選択されたコンテンツ４１の盛上り区間の再生をするか全区間の再生をするかの問い合わせを表示する。表示された問い合わせに対して、ユーザは操作部６６を操作することにより、選択したコンテンツの盛上り区間の再生をするか全区間の再生をするかを選択することができる。
【０１２１】
ステップ３５において、記録再生制御部１３１は、コンテンツ４１の盛上り区間の再生が指示されたかを判定する。
【０１２２】
コンテンツ４１の盛上り区間の再生が指示された場合、ステップＳ３５においてＹＥＳであると判定されて、処理はステップＳ３６に進む。
【０１２３】
ステップＳ３６において、記録再生制御部１３１は、コンテンツ４１の盛上り区間を再生する。すなわち、記録再生制御部１３１は、削除されずに記録媒体７１に記録されたままのシーン４１−５，４１−６を読み出して再生する。これにより、コンテンツの再生処理は終了する。
【０１２４】
これに対して、ステップ３５において、コンテンツ４１の盛上り区間の再生が指示されなかった場合、すなわちコンテンツ４１の全区間の再生が指示された場合、ステップＳ３５においてＮＯであると判定されて、処理はステップＳ３７に進む。
【０１２５】
ステップＳ３７において、記録再生制御部１３１は、圧縮符号化コンテンツ４１をサーバ１２から受信して記録媒体７１に記録する。すなわち、記録再生制御部１３１は、サーバ１２から圧縮符号化データ５１−１乃至５１−３を受信して、記録媒体７１に記録する。
【０１２６】
ステップＳ３８において、記録再生制御部１３１は、コンテンツ４１の全区間を再生する。すなわち、記録再生制御部１３１は、圧縮符号化データ５１−１乃至５１−３を伸張復号化する。そして、記録再生装置３１は、伸張復号化されたシーン４１−１乃至４１−４，４１−７，４１−８と、記録再生装置３１に記録されているシーン４１−５，４１−６を含むコンテンツを合成して再生する。
【０１２７】
これにより、コンテンツの再生処理は終了する。
【０１２８】
コンテンツの再生処理により、ユーザは、記録容量を確保するためにアーカイブ処理が施され、記録媒体７１から削除されたコンテンツを視聴することができる。また、ユーザは、自らコンテンツを削除した場合にも、当該削除したコンテンツを視聴することができる。さらに、ユーザは、盛上り区間の再生を指示することにより、素早くコンテンツの概要を知ることができる。
【０１２９】
なお、上述の例では、コンテンツ４１の一部の区間に対してアーカイブ処理が施される場合、コンテンツ４１の盛上り特性に基づいてアーカイブ処理が施される区間が決定された。しかしながら、コンテンツ４１のアーカイブ処理が施される区間の決定は、盛上り特性に基づくことに限定されない。例えば、コンテンツ４１のうち、ユーザがお気に入り指定した区間以外に対してアーカイブ処理が施されるようにしてもよい。すなわち、コンテンツ４１のうち、お気に入り指定された区間に対しては、アーカイブ処理が禁止されるようにしてもよい。
【０１３０】
＜２．第２実施形態＞
第１実施形態においては、記録再生装置は、コンテンツにアーカイブ処理を施し、その結果、記録媒体から当該コンテンツが削除されることで、新たなコンテンツの記録に必要な空き容量を確保した。しかしながら、新たなコンテンツの記録に必要な空き容量を確保するための手法は、これに限定されない。例えば、記録再生装置は、コンテンツの内容が識別できるメタデータのみを記録媒体に残し、コンテンツ自体は削除することで、記録に必要な空き容量を確保するようにしてもよい。
【０１３１】
[コンテンツ管理システムの構成例]
図８は、本技術の第２実施形態が適用されるコンテンツ管理システムの構成を示すブロック図である。
【０１３２】
図８のコンテンツ管理システム１５１は、ユーザ用記録再生システム１６１、及びサーバ１６２−１乃至１６２−Ｎ（Ｎは、２以上の整数値であって、図８の例では３）が、インターネット１７１を介して相互に接続されて構成されている。ユーザ用記録再生システム１６１は、記録再生装置１８１及びディスプレイ１８２により構成されている。なお、以下、サーバ１６２−１乃至１６２−３を個々に区別する必要がない場合、これらをまとめてサーバ１６２と称する。サーバ１６２は、商用サーバ等であって、膨大な数のコンテンツが記録されているものとする。
【０１３３】
ユーザ用記録再生システム１６１及びサーバ１６２の基本的な構成は、それぞれ図３のユーザ用記録再生システム１１及び図４のサーバ１２と同様である。したがって、図３のユーザ用記録再生システム１１及び図４のサーバ１２の構成は、図８のユーザ用記録再生システム１６１及びサーバ１６２の構成としても引用する。
【０１３４】
記録再生装置１８１は、新たなコンテンツを記録媒体に記録する前に、新たなコンテンツのデータ容量に対して記録媒体７１の空き容量が十分にあるかを判定する。記録再生装置１８１は、記録媒体７１に新たなコンテンツの記録に必要な空き容量がないと判定すると、記録済みコンテンツの中からユーザによるアクセス頻度が低いコンテンツを、削除対象のコンテンツとして選択する。図８の場合、削除対象のコンテンツとしてコンテンツ２１１が選択されたとする。
【０１３５】
記録再生装置１８１は、選択された削除対象のコンテンツ２１１の内容が識別できるメタデータ１９１のみを記録媒体７１に記録し、コンテンツ２１１自体は削除する。本実施形態においては、当該メタデータ１９１として、画像音声特徴抽出部６５により抽出されるコンテンツ２１１のシーン毎の特徴量が採用される。
【０１３６】
記録再生装置１８１は、後述するように、記録媒体７１に記録したコンテンツ２１１のシーン毎の特徴量を用いることにより、コンテンツ２１１と同一または類似の特徴量を有するコンテンツ（以下、類似コンテンツと称する）を再生させることができる。すなわち、記録再生装置１８１は、コンテンツ２１１のシーン毎の特徴量を記録媒体７１に記録させれば、データ量が多いコンテンツ２１１自体は削除することができる。これにより、記録媒体７１には新たなコンテンツの記録に必要な空き容量が確保される。
【０１３７】
また、記録再生装置１８１は、コンテンツ２１１のシーン毎の特徴量と共に、コンテンツ２１１のキーフレーム１９２も記録媒体７１に記録する。キーフレームとは、例えば、コンテンツ２１１に含まれるシーンのうち、盛上り特性の値が最も高いシーンに含まれる１のフレームをいう。当該キーフレーム１９２は、削除されたコンテンツ２１１のサムネイル画像として用いることができる。例えば、記録再生装置１８１は、記録媒体７１に記録されている複数のコンテンツのサムネイル画像を表示させる場合、実際には記録媒体７１から削除されているコンテンツ２１１のサムネイル画像を表示させるときに、当該キーフレーム１９２を用いることができる。
【０１３８】
記録再生装置１８１は、削除したコンテンツ２１１の再生の指示がされた場合、記録媒体７１に記録したコンテンツ２１１のシーン毎の特徴量を抽出する。そして、記録再生装置１８１は、サーバ１６２に記録されている複数のコンテンツに含まれるシーンの中から、コンテンツ２１１のシーン毎に、コンテンツ２１１のシーンの特徴量と同一または類似の特徴量を有するシーン（以下、類似シーンと称する）を検索する。
【０１３９】
記録再生装置１８１は、サーバ１６２に記録されている複数のコンテンツに含まれるシーンの中から類似シーンを検索する場合、予め設定された許容類似度に従って検索する。許容類似度は、所定のシーンの類似シーンとして許容される類似度をいう。すなわち、所定のシーンとの類似度が許容類似度以上のシーンは、類似シーンとして検索される一方、所定のシーンとの類似度が許容類似度未満のシーンは、類似シーンとして検索されない。したがって、許容類似度を所定の値に設定することによって、所定のシーンの類似シーンとして検索される範囲を自在に変更することができる。したがって、類似シーンの検索数を増加させたい場合には、許容類似度を下げればよい。逆に、類似シーンの検索数を減少させたい場合には、許容類似度を上げればよい。なお、許容類似度はユーザが任意に設定可能なものとする。
【０１４０】
ここで、許容類似度を下げるということは、それだけ類似シーンが検索されやすくなることを意味するが、そのようにして検索された類似シーンは、類似度が低いシーンになっている場合もあり得る。したがって、ある一定以下の類似度のシーンを類似シーンとして検索されないようにするために、許容類似度の下限値（閾値）が設けられている。これにより、閾値未満の類似度のシーンが類似シーンとして検索されてしまうことを防止することができる。
【０１４１】
複数のシーンのそれぞれに対して類似シーンを検索する場合、閾値未満の類似度のシーンは類似シーンとして検索されないので、複数のシーンの中には、類似シーンが検索されないものもある。このような場合、検索された類似シーンの数は、元の複数のシーンの数よりも少なくなる。したがって、検索された類似シーンをつなげた類似コンテンツは、元のコンテンツと同じかまたは短くなる。
【０１４２】
図８の例では、サーバ１６２−１には、シーン２１１−１，２１１−２が記録されており、サーバ１６２−２には、シーン２１１−３乃至２１１−５が記録されており、サーバ１６２−３には、シーン２１１−６，２１１−７が記録されている。
【０１４３】
記録再生装置１８１は、サーバ１６２に記録されているこれらのシーンの中から、予め設定された許容類似度に従って類似シーンを検索する。類似シーンが見つかった場合には、記録再生装置１８１は、当該類似シーンを記録媒体７１に記録する。
【０１４４】
一方、予め設定された許容類似度に従って検索をした結果、類似シーンが見つからなかった場合、記録再生装置１８１は、許容類似度を予め設定されている値よりも下げて類似シーンの再検索を試みる。これにより、類似度は低くても、ある一定以上の類似性をもった類似シーンを検索することができる。類似シーンが見つかった場合には、記録再生装置１８１は、当該類似シーンを記録媒体７１に記録する。
【０１４５】
次に、ユーザにより記録媒体７２から削除されたコンテンツ２１１の再生の指示がされた場合について、図９を用いて説明する。
【０１４６】
[コンテンツの再生]
図９は、コンテンツ２１１の再生について説明する図である。
【０１４７】
記録再生装置１８１が、サーバ１６２に記録されているコンテンツに含まれるシーンの中から、コンテンツ２１１に含まれるシーン毎に類似シーンを検索すると、次のような結果になったとする。すなわち、コンテンツ２１１に含まれるシーンのうち、シーン２１１−１，２１１−２の類似シーンがサーバ１６２−１に記録されており、シーン２１１−３，２１１−４の類似シーンがサーバ１６２−２に記録されており、シーン２１１−６，２１１−７の類似シーンがサーバ１６２−３に記録されていたとする。
【０１４８】
記録再生装置１８１は、これらの複数の類似シーンを記録媒体７１に記録する。そして、記録再生装置１８１は、記録媒体７１に記録されたこれらの複数の類似シーンと記録媒体７１に記録したままであるキーフレーム１９２を含む新たなコンテンツを合成し、新たなコンテンツを再生する。これにより、記録再生装置１８１は、記録媒体７１から削除されたコンテンツ２１１の類似コンテンツを再生することができる。
【０１４９】
以上説明したように、記録再生装置１８１は、コンテンツ２１１に含まれるシーンと類似性の高いシーンを検索することが可能となり、コンテンツ２１１と類似性の高いコンテンツを再生させることができる。
【０１５０】
削除対象のコンテンツとして選択されたコンテンツ２１１は、ユーザによるアクセス頻度が低いコンテンツである。すなわち、ユーザは、過去にコンテンツ２１１を視聴したことがあったとしても、現在はその内容を詳細には記憶していない可能性が高いと想定できる。したがって、ユーザにより、記録媒体７２から削除されたコンテンツ２１１の再生の指示がされた場合、コンテンツ２１１が再生不可能とされるよりも、コンテンツ２１１と類似する類似コンテンツが再生される方が、ユーザの要求は満たされると想定できる。
【０１５１】
なお、サーバ１６２の中に、コンテンツ２１１に含まれる所定のシーンの類似シーンが複数検索できた場合には、画質の良い方の類似シーンを優先的に選択するようにする。例えば、所定のシーンの類似シーンとして、低解像度または標準解像度のＳＤ(Standard Definition)画像の類似シーンと、高解像度のＨＤ(High Definition)画像の類似シーンが検索されたとする。この場合、記録再生装置１８１は、高解像度のＨＤ画像の類似シーンを選択して記録媒体７１に記録するようにする。
【０１５２】
上述の例では、記録再生装置１８１は、コンテンツ２１１のシーン毎の特徴量と共に、コンテンツ２１１のキーフレーム１９２も記録媒体７１に記録した。しかしながら、コンテンツ２１１のキーフレーム１９２は記録媒体７１に記録せずに削除してもよい。この場合、削除されたキーフレーム１９２についても、サーバ１６２の中から同一または類似のものが検索される。
【０１５３】
また、上述の例では、選択されたコンテンツ２１１の内容が識別できるメタデータ１９１として、コンテンツ２１１のシーン毎の特徴量が採用された。しかしながら、メタデータ１９１は、これに限定されない。例えば、コンテンツ２１１として番組が採用された場合には、メタデータ１９１としてEPG情報を採用することができる。記録再生装置１８１は、EPG情報に含まれるコンテンツ２１１のタイトル、放送時間、チャンネル、放送地域等の情報に基づいて、サーバ１６２に記録されたコンテンツの中から、類似コンテンツを検索して再生することができる。
【０１５４】
また、例えば、コンテンツ２１１としてユーザが撮影した映像が採用された場合には、メタデータ１９１として当該映像の撮影日時、撮影場所等の情報を採用することができる。具体的には、コンテンツ２１１が、ユーザが所定のイベントを撮影した映像であった場合、記録再生装置１８１は、サーバ１６２の中から同一のイベントが撮影されたコンテンツを検索する。そして、記録再生装置１８１は、検索されたコンテンツに含まれるシーンの中から、コンテンツ２１１に含まれるシーンの類似シーンを検索して記録し、それらを含む新たなコンテンツを合成して再生することができる。
【０１５５】
[システムコントローラの機能的構成例]
図１０は、ユーザ用記録再生システム１６１のシステムコントローラ７５の機能的構成例を示すブロック図である。
【０１５６】
システムコントローラ７５は、記録再生制御部２３１、検索部２３２、及び表示制御部２３３から構成されている。
【０１５７】
記録再生制御部２３１は、コンテンツを記録媒体に記録し、当該コンテンツを記録媒体から読み出して再生することができる。また、記録再生制御部２３１は、記録媒体７１の空き容量の監視、コンテンツの記録、再生、及び削除、特徴量の記録等を実行する。
【０１５８】
検索部２３２は、コンテンツ２１１の所定のシーンの類似シーンをサーバ１６２の中から検索する。
【０１５９】
表示制御部２３３は、ユーザに対する警告表示等をディスプレイ３２に表示させるための制御を実行する。
【０１６０】
次に、図８を用いて説明した、メタデータ１９１のみを記録してコンテンツが削除される処理（以下、コンテンツ削除処理と称する）について、図１１を用いて説明する。また、図９を用いて説明した、削除されたコンテンツが再生される処理（以下、コンテンツ再生処理と称する）について、図１２を用いて説明する。なお、図１１と図１２においては、コンテンツ２１１のキーフレーム１９２は記録媒体７１に記録されずに削除されるものとする。
【０１６１】
[コンテンツ削除処理]
図１１は、コンテンツ削除処理の流れを説明するフローチャートである。
【０１６２】
コンテンツ削除処理は、ユーザによる所定操作を受け付けた操作部６６からの操作信号に従って、新たなコンテンツの記録が指示されると開始される。
【０１６３】
ステップＳ５１において、記録再生制御部２３１は、記録媒体７１に新たなコンテンツの記録に必要な空き容量はあるかを判定する。
【０１６４】
記録媒体７１に記録に必要な空き容量がある場合、ステップＳ５１においてＹＥＳであると判定されて、処理はステップＳ５２に進む。
【０１６５】
ステップＳ５２において、記録再生制御部２３１は、記録媒体７１に新たなコンテンツを記録する。すなわちこの場合には、新たなコンテンツがそのまま記録媒体７１に記録される。
【０１６６】
これにより、コンテンツ削除処理は終了する。
【０１６７】
これに対して、記録媒体７１に記録に必要な空き容量がない場合、ステップＳ５１においてＮＯであると判定されて、処理はステップＳ５３に進む。
【０１６８】
ステップＳ５３において、記録再生制御部２３１は、アクセス頻度に基づき削除対象のコンテンツを選択する。すなわち、記録再生制御部２３１は、記録済みコンテンツの中から、ユーザによるアクセス頻度が低いコンテンツを削除対象のコンテンツとして選択する。以下、削除対象のコンテンツとして、図８に示されるコンテンツ２１１が選択されたとして説明する。
【０１６９】
ステップＳ５４において、記録再生制御部２３１は、コンテンツ２１１に含まれるシーンの特徴量を抽出する。すなわち、記録再生制御部２３１は、画像音声特徴抽出部６５により抽出されたコンテンツ２１１に含まれるシーン毎の特徴量を抽出する。
【０１７０】
ステップＳ５５において、記録再生制御部２３１は、当該シーンの特徴量を記録して、当該シーンを構成するフレームデータを削除する。
【０１７１】
ステップＳ５６において、記録再生制御部２３１は、コンテンツ２１１に含まれる全てのシーンについて処理が終了したかを判定する。すなわち、記録再生制御部２３１は、コンテンツ２１１に含まれる全てのシーンの特徴量を記録して、特徴量を記録したシーンを構成するフレームデータを削除したかを判定する。
【０１７２】
まだ全てのシーンについて処理が終了していない場合、ステップＳ５６においてＮＯであると判定されて、処理はステップＳ５７に進む。
【０１７３】
ステップＳ５７において、記録再生制御部２３１は、次のシーンを処理対象にすると、処理はステップＳ５４に戻され、それ以降の処理が繰り返される。すなわち、全てのシーンについて処理が終了するまでの間、ステップＳ５４乃至Ｓ５７のループ処理が繰り返される。
【０１７４】
その後、全てのシーンについて処理が終了した場合、ステップＳ５６においてＹＥＳであると判定されて、処理はステップＳ５８に進む。
【０１７５】
ステップＳ５８において、記録再生制御部２３１は、記録媒体７１に記録に必要な空き容量は確保されたかを判定する。すなわち、記録再生制御部２３１は、コンテンツ２１１の特徴量のみを記録媒体７１に記録して、コンテンツ２１１は削除されたことにより、記録媒体７１に新たなコンテンツの記録に必要な空き容量が確保されたかを判定する。
【０１７６】
まだ記録媒体７１に記録に必要な空き容量が確保されていない場合、ステップＳ５８においてＮＯであると判定されて、処理はステップＳ５３に戻され、それ以降の処理が繰り返される。すなわち、記録媒体７１に新たなコンテンツの記録に必要な空き容量が確保されるまでの間、ステップＳ５３乃至Ｓ５８のループ処理が繰り返される。
【０１７７】
その後、記録媒体７１に新たなコンテンツの記録に必要な空き容量が確保されると、ステップＳ５８においてＹＥＳであると判定されて、処理はステップＳ５９に進む。
【０１７８】
ステップＳ５９において、記録再生制御部２３１は、記録媒体７１に新たなコンテンツを記録する。
【０１７９】
これにより、コンテンツ削除処理は終了する。
【０１８０】
なお、図１１の例は、アーカイブ対象を選択するための所定の判定基準として、ユーザによるアクセス頻度が低いという基準が採用された場合について説明した。しかしながら、上述したように、ユーザの入力機器に対する操作内容が、所定のコンテンツの削除の指示であるという判定基準が採用されてもよい。すなわち、ユーザによる所定操作を受け付けた操作部６６からの操作信号に従って、コンテンツ２１１が削除された場合にも、コンテンツ２１１の特徴量のみが記録媒体７１に記録されて、コンテンツ２１１は削除される。
【０１８１】
この場合、図１１の処理はステップＳ５３から開始され、ステップＳ５３の処理において、ユーザによる所定操作を受け付けた操作部６６からの操作信号に従って削除が指示されたコンテンツが、削除対象のコンテンツとなる。その後、上述した場合と同様にステップＳ５４乃至Ｓ５６の処理が実行される。そして、ステップＳ５６においてＹＥＳと判定された場合、処理は終了する。
【０１８２】
以上のコンテンツ削除処理が実行された結果、記録媒体７１には、削除対象のコンテンツの特徴量のみが記録され、コンテンツは削除されたので、新たなコンテンツの記録に必要な空き容量が確保される。
【０１８３】
[コンテンツ再生処理]
図１２は、コンテンツ再生処理の流れを説明するフローチャートである。
【０１８４】
コンテンツ再生処理は、ユーザによる所定操作を受け付けた操作部６６からの操作信号に従って、コンテンツの再生が指示されると開始される。
【０１８５】
ステップＳ７１において、記録再生制御部２３１は、再生が指示されたコンテンツは、削除済みのコンテンツであるかを判定する。
【０１８６】
再生が指示されたコンテンツが削除済みのコンテンツではない場合、ステップＳ７１においてＮＯであると判定されて、処理はステップＳ７２に進む。
【０１８７】
ステップＳ７２において、記録再生制御部２３１は、再生が指示されたコンテンツを再生する。再生が指示されたコンテンツが削除済みのコンテンツではない場合、当該コンテンツは記録媒体７１に記録されたままである。したがって、記録再生制御部２３１は、記録媒体７１に記録されている当該コンテンツを読み出して再生する。
【０１８８】
これにより、コンテンツ再生処理は終了する。
【０１８９】
これに対して、再生が指示されたコンテンツが削除済みのコンテンツ２１１である場合、ステップＳ７１においてＹＥＳであると判定されて、処理はステップＳ７３に進む。以下、削除済みのコンテンツは、図１１の処理で削除されたコンテンツ２１１であるとして説明する。
【０１９０】
ステップＳ７３において、記録再生制御部２３１は、コンテンツ２１１の所定のシーンの特徴量を読み出す。すなわち、記録再生制御部２３１は、図１１のコンテンツ削除処理により記録媒体７１に記録されたコンテンツ２１１の所定のシーンの特徴量を読み出す。
【０１９１】
ステップＳ７４において、検索部２３２は、コンテンツ２１１の所定のシーンの類似シーンを検索する。すなわち、検索部２３２は、インターネット１７１を介して、サーバ１６２に記録されている複数のコンテンツに含まれるシーンの中から、予め設定された許容類似度に従って類似シーンを検索する。
【０１９２】
ステップＳ７５において、検索部２３２は、コンテンツ２１１の所定のシーンの類似シーンが見つかったかを判定する。
【０１９３】
コンテンツ２１１の所定のシーンの類似シーンが見つからなかった場合、ステップＳ７５においてＮＯであると判定されて、処理はステップＳ７７に進む。なお、ステップＳ７７以降の処理については後述する。
【０１９４】
これに対して、コンテンツ２１１の所定のシーンの類似シーンが見つかった場合、ステップＳ７５においてＹＥＳであると判定されて、処理はステップＳ７６に進む。
【０１９５】
ステップＳ７６において、記録再生制御部２３１は、コンテンツ２１１の所定のシーンの類似シーンを記録媒体７１に記録する。
【０１９６】
コンテンツ２１１の所定のシーンの類似シーンが記録媒体７１に記録されると、処理はステップＳ８２に進む。なお、ステップＳ８２以降の処理については後述する。
【０１９７】
一方、ステップＳ７５において、コンテンツ２１１の所定のシーンの類似シーンが見つからなかった場合、ＮＯであると判定されて、処理はステップＳ７７に進む。
【０１９８】
ステップＳ７７において、検索部２３２は、許容類似度を下げて再検索する。すなわち、検索部２３２は、ステップＳ７４の処理で検索していたシーンよりも、所定のシーンの特徴量との類似の度合いが低い特徴量を有するシーンの検索を試みる。
【０１９９】
ステップＳ７８において、検索部２３２は、許容類似度が閾値よりも小さいかを判定する。
【０２００】
許容類似度が閾値よりも小さい場合、ステップＳ７８においてＹＥＳであると判定されて、処理はステップＳ８１に進む。なお、ステップＳ８１以降の処理については後述する。
【０２０１】
これに対して、許容類似度が閾値以上の場合、ステップＳ７８においてＮＯであると判定されて、処理はステップＳ７９に進む。
【０２０２】
ステップＳ７９において、検索部２３２は、コンテンツ２１１の所定のシーンの類似シーンが見つかったかを判定する。
【０２０３】
コンテンツ２１１の所定のシーンの類似シーンが見つかった場合、ステップＳ７９においてＹＥＳであると判定されて、処理はステップＳ８０に進む。
【０２０４】
ステップＳ８０において、表示制御部２３３は、警告表示をする。すなわち、ステップＳ７９で見つかった類似シーンは、許容類似度が下げられた後で検索されたシーンであり、コンテンツ２１１の所定のシーンの特徴量と類似の度合いが低い特徴量を有するシーンとなる。したがって、表示制御部２３３は、コンテンツ２１１に含まれるシーンとは類似の度合いが低いシーンが含まれる旨の警告表示を、ディスプレイ３２に表示させるための制御を実行する。
【０２０５】
警告表示がされると、処理はステップＳ７６に進む。
【０２０６】
ステップＳ７６において、記録再生制御部２３１は、コンテンツ２１１の所定のシーンの類似シーンを記録媒体７１に記録する。すなわち、記録再生制御部２３１は、許容類似度が下げられた後で検索された類似シーンを記録媒体７１に記録する。
【０２０７】
コンテンツ２１１の所定のシーンの類似シーンが記録媒体７１に記録されると、処理はステップＳ８２に進む。なお、ステップＳ８２以降の処理については後述する。
【０２０８】
一方、ステップＳ７９において、コンテンツ２１１の所定のシーンの類似シーンが見つからなかった場合、ＮＯであると判定されて、処理はステップＳ７７に戻され、それ以降の処理が繰り返される。すなわち、許容類似度が閾値以上である間、コンテンツ２１１の所定のシーンの類似シーンが見つかるまでは、ステップＳ７７乃至Ｓ７９のループ処理が繰り返される。
【０２０９】
その後、許容類似度が閾値よりも小さくなると、ステップＳ７８においてＹＥＳであると判定されて、処理はステップＳ８１に進む。
【０２１０】
ステップＳ８１において、表示制御部２３３は、警告表示をする。すなわち、許容類似度が閾値よりも小さくなると、所定のシーンの類似シーンが検索されなくなる。したがって、表示制御部２３３は、再生される類似コンテンツは、コンテンツ２１１よりも短いコンテンツとなる旨の警告表示をする。
【０２１１】
ステップＳ８２において、記録再生制御部２３１は、コンテンツ２１１に含まれる全てのシーンについて処理が終了したかを判定する。すなわち、記録再生制御部２３１は、コンテンツ２１１に含まれる全てのシーンについて類似シーンの検索が終了したかを判定する。
【０２１２】
まだ全てのシーンについて処理が終了していない場合、ステップＳ８２においてＮＯであると判定されて、処理はステップＳ７３に戻され、それ以降の処理が繰り返される。すなわち、全てのシーンについて処理が終了するまでの間、ステップＳ７３乃至Ｓ８２のループ処理が繰り返される。
【０２１３】
その後、全てのシーンについて処理が終了した場合、ステップＳ８２においてＹＥＳであると判定されて、処理はステップＳ８３に進む。
【０２１４】
ステップＳ８３において、記録再生制御部２３１は、類似コンテンツを再生する。すなわち、記録再生制御部２３１は、検索の結果、記録媒体７１に記録された複数の類似シーンを含む新たなコンテンツを合成して再生する。すなわち、記録媒体７１から削除されたコンテンツ２１１の類似コンテンツが再生されることになる。
【０２１５】
これにより、コンテンツ再生処理は終了する。
【０２１６】
コンテンツ再生処理により、ユーザは、記録容量を確保するために記録媒体７１から削除されたコンテンツと類似度の高いコンテンツを視聴することができる。また、ユーザは、自ら削除したコンテンツについても、削除したコンテンツと類似度の高いコンテンツを視聴することができる。
【０２１７】
＜３．第３実施形態＞
第２実施形態においては、記録済みコンテンツの内容が識別できるメタデータのみが記録媒体に記録され、コンテンツ自体は削除されることで、記録に必要な空き容量が確保された。この場合、ユーザ用記録再生システムが、削除したコンテンツに含まれるシーンの類似シーンを検索できるように、商用サーバ等であるサーバは、膨大な数のコンテンツを記録しておく必要がある。しかしながら、サーバに膨大な数のコンテンツを記録させずに、ユーザ用記録再生システムが、他のユーザ用記録再生システムに記録されているコンテンツの中から、類似コンテンツを検索できるようにしてもよい。
【０２１８】
[コンテンツ管理システムの構成例]
図１３は、本技術の第３実施形態が適用されるコンテンツ管理システムの構成を示すブロック図である。
【０２１９】
図１３のコンテンツ管理システム２５１は、ユーザ用記録再生システム２６１−１乃至２６１−Ｎ（Ｎは、２以上の整数値であって、図１３の例では３）、及びサーバ２６２が、インターネット２７１を介して相互に接続されて構成されている。また、ユーザ用記録再生システム２６１−ｉ（ｉは、１乃至３のうちの何れかの整数値）は、記録再生装置２８１−ｉ、及びディスプレイ２８２−ｉにより構成されている。また、サーバ２６２は、特徴量データベース２９１とケーブル等により直接接続されている。
【０２２０】
以下、ユーザ用記録再生システム２６１−１乃至２６１−３を個々に区別する必要がない場合、これらをまとめてユーザ用記録再生システム２６１と称する。また、他の構成要素についても同様とする。
【０２２１】
なお、ユーザ用記録再生システム２６１及びサーバ２６２の基本的な構成は、それぞれ図３のユーザ用記録再生システム１１及び図４のサーバ１２と同様である。したがって、図３のユーザ用記録再生システム１１及び図４のサーバ１２の構成は、図１３のユーザ用記録再生システム２６１及びサーバ２６２の構成としても引用する。また、図１３の矢印は処理の流れを示し、矢印に示されている数字Ｋ（Ｋは１乃至６）は処理の流れの順番を示すものである。したがって、数字Ｋが示されている矢印を第Ｋ矢印と称して処理の流れを順に説明する。
【０２２２】
ユーザ用記録再生システム２６１−１の記録再生装置２８１−１は、新たにコンテンツを記録する場合に、記録媒体７１に記録に必要な空き容量があるかを判定する。記録再生装置２８１−１は、記録媒体７１に新たなコンテンツの記録に必要な空き容量がないと判定すると、記録媒体７１に記録されているコンテンツの中からユーザによるアクセス頻度が低いコンテンツを、削除対象のコンテンツとして選択する。図１３の場合、削除対象のコンテンツとしてコンテンツ３０１が選択されたとする。
【０２２３】
第１矢印に示されるように、記録再生装置２８１−１は、削除対象のコンテンツ３０１を削除する前に、コンテンツ３０１の内容が識別できるメタデータをサーバ２６２に送信する。本実施形態においては、当該メタデータとして、画像音声特徴抽出部６５により抽出されるコンテンツ３０１の特徴量が採用される。
【０２２４】
すると、第２矢印に示されるように、サーバ２６２は、記録再生装置２８１−１から受信したコンテンツ３０１の特徴量を、ユーザ用記録再生システム２６１−２及び２６１−３に送信する。そして、サーバ２６２は、ユーザ用記録再生システム２６１−２及び２６１−３に対して、コンテンツ３０１の類似コンテンツの有無を問い合わせる。
【０２２５】
第３矢印に示されるように、ユーザ用記録再生システム２６１−２及び２６１−３は、問い合わせに返信する。すなわち、ユーザ用記録再生システム２６１−２及び２６１−３は、それぞれ自身の記録再生装置２８１−２，２８１−３にコンテンツ３０１の類似コンテンツが記録されているかを判定する。そして、ユーザ用記録再生システム２６１−２及び２６１−３は、それぞれ類似コンテンツ有りまたは無しの問い合わせ結果を送信する。
【０２２６】
ここで、ユーザ用記録再生システム２６１−３は、類似コンテンツ無しの問い合わせ結果を送信したとする。すなわち、記録再生装置２８１−３においては、コンテンツ３０１の類似コンテンツは、元々記録されていないか、再生頻度が低いため、またはユーザが削除したために記録再生装置２８１−３から削除されている。
【０２２７】
一方、ユーザ用記録再生システム２６１−２は、類似コンテンツ有りの問い合わせ結果を送信したとする。すなわち、記録再生装置２８１−２においては、コンテンツ３０１の類似コンテンツ３０２が記録されており、類似コンテンツ３０２は再生頻度が低くないため、記録再生装置２８１−２に記録されたままである。
【０２２８】
すると、第４矢印に示されるように、サーバ２６２は、類似コンテンツ有りの問い合わせ結果を送信したユーザ用記録再生システム２６１−２の記録再生装置２８１−２の情報と、類似コンテンツ３０２の特徴量を、特徴量データベース２９１に記録する。なお、記録再生装置２８１−２の情報は、記録再生装置２８１−２を識別する情報であればよく、例えば、記録再生装置２８１−２のユーザ情報であってもよい。
【０２２９】
次に、第５矢印に示されるように、サーバ２６２は、ユーザ用記録再生システム２６１−１に、コンテンツ３０１の類似コンテンツが他のユーザ用記録再生システム２６１の記録再生装置２８１に記録されているか否かの結果を送信する。図１３の場合、類似コンテンツ３０２がユーザ用記録再生システム２６１−２に記録されている。したがって、サーバ２６２は、コンテンツ３０１の類似コンテンツが他のユーザ用記録再生システム２６１の記録再生装置２８１に記録されているという結果を送信する。
【０２３０】
類似コンテンツが他のユーザ用記録再生システム２６１の記録再生装置２８１に記録されているという結果を受信した場合、ユーザ用記録再生システム２６１−１の記録再生装置２８１−１は、コンテンツ３０１の特徴量を記録した後で、コンテンツ３０１を削除する。なお、記録再生装置２８１−１は、コンテンツ３０１のシーン毎の特徴量も記録しておく。
【０２３１】
これに対して、類似コンテンツが他のユーザ用記録再生システム２６１の記録再生装置２８１に記録されていないという結果を受信した場合、ユーザ用記録再生システム２６１−１の記録再生装置２８１−１は次のような処理を実行する。
【０２３２】
すなわち、記録再生装置２８１−１は、コンテンツ３０１の特徴量を記録した後、コンテンツ３０１に所定の圧縮符号化処理を施してサーバ２６２に送信する。すなわち、記録再生装置２８１−１は、コンテンツ３０１にアーカイブ処理を施す。その結果、コンテンツ３０１は、記録再生装置２８１−１の記録媒体７１から削除され、サーバ２６２の記録媒体９３に記録される。なお、サーバ２６２は、このとき、コンテンツ３０１の特徴量も合わせて記録する。また、記録再生装置２８１−１は、コンテンツ３０１の特徴量を記録するときに、コンテンツ３０１のシーン毎の特徴量も記録しておく。
【０２３３】
すなわち、コンテンツ管理システム２５１においては、複数のコンテンツが複数のユーザ用記録再生システム２６１によって分散して記録されている。したがって、コンテンツ３０１の類似コンテンツ３０２が他のユーザ用記録再生システム２６１に記録されている場合には、ユーザ用記録再生システム２６１−１は、コンテンツ３０１の特徴量のみを残して記録媒体７１からコンテンツ３０１を削除することができる。これに対して、コンテンツ３０１の類似コンテンツ３０２が他のユーザ用記録再生システム２６１に記録されていない場合には、ユーザ用記録再生システム２６１−１は、コンテンツ３０１の特徴量を残した上で、コンテンツ３０１にアーカイブ処理を施してサーバ２６２に記録させる。これにより、ユーザ用記録再生システム２６１−１は、記録媒体７１からコンテンツ３０１を削除することができる。
【０２３４】
なお、図示はしないが、インターネット２７１には、図８に示される複数のサーバ１６２も接続されている。上述したように、サーバ１６２は商用サーバ等であって、膨大な数のコンテンツが記録されている。
【０２３５】
次に、記録再生装置２８１が、記録媒体７２から削除されたコンテンツ３０１を再生させる場合について、図１４を用いて説明する。
【０２３６】
[コンテンツの再生]
図１４は、コンテンツ３０１の再生について説明する図である。
【０２３７】
図１４には、図１３に示されたユーザ用記録再生システム２６１−１の記録再生装置２８１−１、ユーザ用記録再生システム２６１−２の記録再生装置２８１−２、及びサーバ２６２が示されている。記録再生装置２８１−１，２８１−２、及びサーバ２６２は、インターネット２７１を介して相互に接続されている。なお、図中の矢印は、図１３と同様に処理の流れを示すものである。
【０２３８】
第１矢印に示されるように、記録再生装置２８１−１は、削除されたコンテンツ３０１の再生が指示された場合、記録媒体７１に記録されているコンテンツ３０１の特徴量をサーバ２６２に送信する。
【０２３９】
すると、第２矢印に示されるように、サーバ２６２は、受信したコンテンツ３０１の特徴量を基に、記録媒体９３の中から圧縮符号化コンテンツ３０１が記録されているか検索する。検索の結果、圧縮符号化コンテンツ３０１が見つからなかった場合、サーバ２６２は、他の記録再生装置２８１に類似コンテンツが記録されているか検索する。すなわち、サーバ２６２は、特徴量データベース２９１の中から、類似コンテンツが記録されている記録再生装置２８１の情報を検索する。
【０２４０】
記録媒体９３の中に圧縮符号化コンテンツ３０１が記録されていた場合、サーバ２６２は、圧縮符号化コンテンツ３０１を記録再生装置２８１−１に送信する。しかしながら、いまの場合は、記録媒体９３に圧縮符号化コンテンツ３０１は記録されておらず、特徴量データベース２９１の中から、類似コンテンツが記録されている記録再生装置２８１−２の情報が見つかったとする。
【０２４１】
第３矢印に示されるように、サーバ２６２は、記録再生装置２８１−２に類似コンテンツ３０２の配信が可能であるかを問い合わせる。
【０２４２】
すると、第４矢印に示されるように、記録再生装置２８１−２は、配信可否の結果をサーバ２６２に送信する。
【０２４３】
配信可の結果がサーバ２６２に送信された場合、第５矢印に示されるように、記録再生装置２８１−２は、サーバ２６２を介して、類似コンテンツ３０２を記録再生装置２８１−１に送信する。なお、記録再生装置２８１−２は、サーバ２６２を介して類似コンテンツ３０２を記録再生装置２８１−１に送信せずに、直接記録再生装置２８１−１に送信するようにしてもよい。
【０２４４】
これに対して、配信不可の結果がサーバ２６２に送信された場合、図示はしないが、記録再生装置２８１−１は、図１２で説明した手法と同様に、商用サーバ等である複数のサーバ１６２の中から、コンテンツ３０１に含まれるシーン毎に類似シーンを検索する。
【０２４５】
なお、上述の例では、削除されたコンテンツ３０１の内容が識別できるメタデータとして、コンテンツ３０１の特徴量が採用された。しかしながら、メタデータは、これに限定されない。コンテンツ３０１として番組が採用された場合には、例えば、メタデータとしてはEPG情報等を採用することができる。また、コンテンツ３０１としてユーザが撮影した映像が採用された場合には、例えば、メタデータとしては撮影日時、撮影場所等の情報を採用することができる。
【０２４６】
以上説明したように、コンテンツ管理システム２５１においては、複数のコンテンツが複数のユーザ用記録再生システム２６１によって分散して記録されている。したがって、サーバ２６２が膨大な数のコンテンツを記録しておく必要がなくなる。また、サーバ２６２の代わりに、他のユーザ用記録再生システム２６１が、ユーザ用記録再生システム２６１−１に対してコンテンツの配信を行うこともできるので、サーバ２６２は、膨大な数の配信要求に全て応答する必要がなくなる。したがって、サーバ２６２の構築コストおよび運用コストを抑制することができる。
【０２４７】
[管理部の機能的構成例]
図１５は、サーバ２６２の管理部９２の機能的構成例を示すブロック図である。
【０２４８】
管理部９２は、特徴量管理部３２１、コンテンツ管理部３２２、及び検索部３２３から構成されている。
【０２４９】
特徴量管理部３２１は、コンテンツ及びコンテンツのシーン毎の特徴量をユーザ用記録再生システム２６１との間で授受する。また、特徴量管理部３２１は、ユーザ用記録再生システム２６１に類似コンテンツの有無を問い合わせ、類似コンテンツを有する記録再生装置２８１を検出する。
【０２５０】
コンテンツ管理部３２２は、ユーザ用記録再生システム２６１との間で、コンテンツを授受する。また、コンテンツ管理部３２２は、ユーザ用記録再生システム２６１に対して類似コンテンツの配信が可能か否かの問い合わせを行い、コンテンツの管理をする。
【０２５１】
検索部３２３は、コンテンツ及びコンテンツのシーン毎の特徴量に基づいて、圧縮符号化コンテンツ３０１、及び類似コンテンツが記録された記録再生装置２８１を検索する。
【０２５２】
なお、ユーザ用記録再生システム２６１のシステムコントローラ７５の機能的構成例は、図１０と同様である。
【０２５３】
次に、図１３を用いて説明した、メタデータのみが記録されてコンテンツ３０１が削除されるときのユーザ用記録再生システム２６１−１が実行する処理（以下、コンテンツ削除処理と称する）を、図１６を用いて説明する。また、そのときのサーバ２６２が実行する処理（以下、削除時コンテンツ管理処理と称する）を、図１７を用いて説明する。
【０２５４】
さらに、図１４を用いて説明した、削除されたコンテンツ３０１が再生されるときのユーザ用記録再生システム２６１−１が実行する処理（以下、コンテンツ再生処理と称する）を、図１８を用いて説明する。また、そのときのサーバ２６２が実行する処理（以下、再生時コンテンツ管理処理と称する）を、図１９を用いて説明する。
【０２５５】
[コンテンツ削除処理]
図１６はユーザ用記録再生システム２６１−１が実行するコンテンツ削除処理、図１７はサーバ２６２が実行する削除時コンテンツ管理処理の流れを説明するフローチャートである。
【０２５６】
図１６のコンテンツ削除処理は、ユーザによる所定操作を受け付けた操作部６６からの操作信号に従って、新たなコンテンツの記録が指示されると開始される。
【０２５７】
ステップＳ１０１において、ユーザ用記録再生システム２６１−１の記録再生制御部２３１は、記録媒体７１に新たなコンテンツの記録に必要な空き容量はあるかを判定する。
【０２５８】
記録媒体７１に記録に必要な空き容量がある場合、ステップＳ１０１においてＹＥＳであると判定されて、処理はステップＳ１０２に進む。
【０２５９】
ステップＳ１０２において、記録再生制御部２３１は、記録媒体７１に新たなコンテンツを記録する。すなわちこの場合には、新たなコンテンツがそのまま記録媒体７１に記録される。
【０２６０】
これにより、コンテンツ削除処理は終了する。
【０２６１】
これに対して、記録媒体７１に記録に必要な空き容量がない場合、ステップＳ１０１においてＮＯであると判定されて、処理はステップＳ１０３に進む。
【０２６２】
ステップＳ１０３において、記録再生制御部２３１は、アクセス頻度に基づき削除対象のコンテンツを選択する。すなわち、記録再生制御部２３１は、記録済みコンテンツの中から、ユーザによるアクセス頻度が低いコンテンツを削除対象のコンテンツとして選択する。以下、削除対象のコンテンツとして、図１３に示されるコンテンツ３０１が選択されたとして説明する。
【０２６３】
ステップＳ１０４において、記録再生制御部２３１は、削除対象のコンテンツ３０１の特徴量をサーバ２６２に送信する。すなわち、記録再生制御部２３１は、画像音声特徴抽出部６５により抽出されたコンテンツ３０１の特徴量をサーバ２６２に送信する。なお、ステップＳ１０５以降の処理については後述する。
【０２６４】
図１７のステップＳ１２１において、サーバ２６２の特徴量管理部３２１は、記録再生制御部２３１が送信した削除対象のコンテンツ３０１の特徴量を受信する。
【０２６５】
ステップＳ１２２において、特徴量管理部３２１は、削除対象のコンテンツの特徴量をユーザ用記録再生システム２６１−２及び２６１−３に送信し、類似コンテンツの有無を問い合わせる。すなわち、特徴量管理部３２１は、類似コンテンツが記録されているユーザ用記録再生システム２６１の検出を試みる。
【０２６６】
ステップＳ１２３において、特徴量管理部３２１は、類似コンテンツ有りの問い合わせ結果を受信したかを判定する。
【０２６７】
類似コンテンツ有りの問い合わせ結果を受信しなかった場合、すなわち、ユーザ用記録再生システム２６１−２及び２６１−３の記録再生装置２８１−２及び２８１−３のどちらにも類似コンテンツが記録されていないと検出された場合、ステップＳ１２３においてＮＯであると判定されて、処理はステップＳ１２６に進む。なお、ステップＳ１２６以降の処理については後述する。
【０２６８】
これに対して、類似コンテンツ有りの問い合わせ結果を受信した場合、すなわち、類似コンテンツが記録されているユーザ用記録再生システム２６１が検出された場合、ステップＳ１２３においてＹＥＳと判定されて、処理はステップＳ１２４に進む。この場合、ユーザ用記録再生システム２６１−２の記録再生装置２８１−２に、類似コンテンツ３０２が記録されており、記録再生装置２８１−２が、類似コンテンツ有りの問い合わせ結果を送信したとする。
【０２６９】
ステップＳ１２４において、特徴量管理部３２１は、類似コンテンツ３０２を有する記録再生装置２８１−２の情報と類似コンテンツ３０２の特徴量を特徴量データベース２９１に記録する。
【０２７０】
ステップＳ１２５において、特徴量管理部３２１は、類似コンテンツ有りの結果を、ユーザ用記録再生システム２６１−１に送信する。これにより、削除時コンテンツ管理処理は終了する。
【０２７１】
図１６のステップＳ１０５において、ユーザ用記録再生システム２６１−１の記録再生制御部２３１は、類似コンテンツ有りの結果を受信したかを判定する。
【０２７２】
いまの場合、図１７のステップＳ１２５で、類似コンテンツ有りの結果が送信されたので、ステップＳ１０５においてＹＥＳであると判定されて、処理はステップＳ１０６に進む。
【０２７３】
ステップＳ１０６において、記録再生制御部２３１は、削除対象のコンテンツ３０１の特徴量を記録媒体７１に記録する。なお、記録再生制御部２３１は、削除対象のコンテンツ３０１のシーン毎の特徴量も記録する。
【０２７４】
ステップＳ１０７において、記録再生制御部２３１は、削除対象のコンテンツ３０１を削除する。すなわち、削除対象のコンテンツ３０１が記録媒体７１から削除される。
【０２７５】
ステップＳ１０８において、記録再生制御部２３１は、記録媒体７１に記録に必要な空き容量は確保されたかを判定する。
【０２７６】
まだ記録媒体７１に記録に必要な空き容量が確保されていない場合、ステップＳ１０８においてＮＯであると判定されて、処理はステップＳ１０３に戻され、それ以降の処理が繰り返される。すなわち、記録媒体７１に新たなコンテンツの記録に必要な空き容量が確保されるまでの間、ステップＳ１０３乃至Ｓ１０８のループ処理が繰り返される。
【０２７７】
その後、記録媒体７１に新たなコンテンツの記録に必要な空き容量が確保されると、ステップＳ１０８においてＹＥＳであると判定されて、処理はステップＳ１０９に進む。
【０２７８】
ステップＳ１０９において、記録再生制御部２３１は、記録媒体７１に新たなコンテンツを記録する。
【０２７９】
これにより、コンテンツ削除処理は終了する。
【０２８０】
一方、図１７のステップＳ１２３において、類似コンテンツ有りの問い合わせ結果を受信しなかった場合、ＮＯであると判定されて、処理はステップＳ１２６に進む。
【０２８１】
ステップＳ１２６において、特徴量管理部３２１は、類似コンテンツ無しの結果を、ユーザ用記録再生システム２６１−１に送信する。なお、ステップＳ１２７以降の処理については後述する。
【０２８２】
図１６のステップＳ１０５において、ユーザ用記録再生システム２６１−１の記録再生制御部２３１は、類似コンテンツ有りの結果を受信したかを判定する。
【０２８３】
いまの場合、図１７のステップＳ１２６で、類似コンテンツ無しの結果が送信されたので、ステップＳ１０５においてＮＯであると判定されて、処理はステップＳ１１０に進む。
【０２８４】
ステップＳ１１０において、記録再生制御部２３１は、削除対象のコンテンツ３０１の特徴量を記録する。なお、記録再生制御部２３１は、削除対象のコンテンツ３０１のシーン毎の特徴量も記録する。
【０２８５】
ステップＳ１１１において、記録再生制御部２３１は、削除対象のコンテンツ３０１のアーカイブ処理を実行する。すなわち、記録再生制御部２３１は、削除対象のコンテンツ３０１に所定の圧縮符号化処理を施し、サーバ２６２に送信する。その結果、記録媒体７１からはコンテンツ３０１が削除される。
【０２８６】
その後、処理はステップＳ１０８に進む。なお、ステップＳ１０８以降の処理については繰り返しになるので省略する。
【０２８７】
これにより、コンテンツ削除処理は終了する。
【０２８８】
なお、ステップＳ１１１において、削除対象のコンテンツ３０１に所定の圧縮符号化処理が施されると、圧縮符号化コンテンツ３０１がサーバ２６２に送信される。
【０２８９】
図１７のステップＳ１２７において、コンテンツ管理部３２２は、圧縮符号化された削除対象のコンテンツ３０１を受信して、記録媒体９３に記録する。
【０２９０】
これにより、削除時コンテンツ管理処理は終了する。
【０２９１】
なお、図１６の例は、アーカイブ対象を選択するための所定の判定基準として、ユーザによるアクセス頻度が低いという基準が採用された場合について説明した。しかしながら、上述したように、ユーザの入力機器に対する操作内容が、所定のコンテンツの削除の指示であるという判定基準が採用されてもよい。すなわち、ユーザによる所定操作を受け付けた操作部６６からの操作信号に従って、コンテンツ３０１が削除された場合にも、コンテンツ３０１にはアーカイブ処理が施される。
【０２９２】
以上のコンテンツ削除処理が実行された結果、コンテンツ３０１の類似コンテンツ３０２が他のユーザ用記録再生システム２６１に記録されている場合には、コンテンツ３０１の特徴量のみが記録されて、コンテンツ３０１は記録媒体７１から削除される。これに対して、コンテンツ３０１の類似コンテンツ３０２が他のユーザ用記録再生システム２６１に記録されていない場合には、コンテンツ３０１の特徴量が記録された上で、コンテンツ３０１にはアーカイブ処理が施される。その結果、コンテンツ３０１は記録媒体７１から削除される。
【０２９３】
[コンテンツ再生処理]
図１８はユーザ用記録再生システム２６１−１が実行するコンテンツ再生処理、図１９はサーバ２６２が実行する再生時コンテンツ管理処理の流れを説明するフローチャートである。
【０２９４】
コンテンツ再生処理は、ユーザによる所定操作を受け付けた操作部６６からの操作信号に従って、コンテンツの再生が指示されると開始される。
【０２９５】
ステップＳ１４１において、記録再生制御部２３１は、再生が指示されたコンテンツは、削除済みのコンテンツであるかを判定する。
【０２９６】
再生が指示されたコンテンツが削除済みのコンテンツではない場合、ステップＳ１４１においてＮＯであると判定されて、処理はステップＳ１４２に進む。
【０２９７】
ステップＳ１４２において、記録再生制御部２３１は、再生が指示されたコンテンツを再生する。再生が指示されたコンテンツが削除済みのコンテンツではない場合、当該コンテンツは記録媒体７１に記録されたままである。したがって、記録再生制御部２３１は、記録媒体７１に記録されている当該コンテンツを読み出して再生する。
【０２９８】
これにより、コンテンツ再生処理は終了する。
【０２９９】
これに対して、再生が指示されたコンテンツが削除済みのコンテンツである場合、ステップＳ１４１においてＹＥＳであると判定されて、処理はステップＳ１４３に進む。なお、以下では、再生が指示された削除済みのコンテンツは、図１６のコンテンツ削除処理で記録媒体７１から削除された削除対象のコンテンツ３０１であるとして説明する。
【０３００】
ステップＳ１４３において、記録再生制御部２３１は、削除済みのコンテンツ３０１の特徴量を読み出す。すなわち、記録再生制御部２３１は、図１６のコンテンツ削除処理のステップＳ１０６またはステップＳ１１０で記録媒体７１に記録されたコンテンツ３０１の特徴量を読み出す。
【０３０１】
ステップＳ１４４において、記録再生制御部２３１は、削除済みのコンテンツ３０１の特徴量をサーバ２６２に送信する。なお、ステップＳ１４５以降の処理については後述する。
【０３０２】
図１９のステップＳ１７１において、サーバ２６２の特徴量管理部３２１は、削除済みのコンテンツ３０１の特徴量を受信する。
【０３０３】
ステップＳ１７２において、検索部３２３は、記録媒体９３の中から圧縮符号化された削除済みのコンテンツ３０１を検索する。すなわち、検索部３２３は、削除済みのコンテンツ３０１の特徴量に基づいて、図１７の削除時コンテンツ管理処理のステップＳ１２７で記録された、圧縮符号化された削除済みのコンテンツ３０１を検索する。
【０３０４】
ステップＳ１７３において、検索部３２３は、圧縮符号化された削除済みのコンテンツ３０１が見つかったかを判定する。
【０３０５】
圧縮符号化された削除済みのコンテンツ３０１が見つからなかった場合、ステップＳ１７３においてＮＯであると判定されて、処理はステップＳ１７５に進む。なお、ステップＳ１７５以降の処理については後述する。
【０３０６】
これに対して、圧縮符号化された削除済みのコンテンツ３０１が見つかった場合、ステップＳ１７３においてＹＥＳであると判定されて、処理はステップＳ１７４に進む。
【０３０７】
ステップＳ１７４において、コンテンツ管理部３２２は、圧縮符号化された削除済みのコンテンツ３０２を、ユーザ用記録再生システム２６１−１に送信する。これにより再生時コンテンツ管理処理は終了する。
【０３０８】
一方、ステップＳ１７３において、圧縮符号化された削除済みのコンテンツ３０１が見つからなかった場合、ＮＯであると判定されて、処理はステップＳ１７５に進む。
【０３０９】
ステップＳ１７５において、検索部３２３は、特徴量データベース２９１の中から類似コンテンツを有する記録再生装置２８１の情報を検索する。すなわち、検索部３２３は、図１７の削除時コンテンツ管理処理のステップＳ１２４で記録された、類似コンテンツを有するユーザ用記録再生システム２６１の記録再生装置２８１の情報を検索する。
【０３１０】
ステップＳ１７６において、検索部３２３は、類似コンテンツを有する記録再生装置２８１の情報が見つかったかを判定する。
【０３１１】
類似コンテンツを有する記録再生装置２８１の情報が見つかった場合、ステップＳ１７６においてＹＥＳであると判定されて、処理はステップＳ１７８に進む。いまの場合、類似コンテンツが記録されているユーザ用記録再生システム２６１−２の記録再生装置２８１−２の情報が見つかったとする。なお、ステップＳ１７６以降の処理については後述する。
【０３１２】
これに対して、類似コンテンツを有する記録再生装置２８１の情報が見つからなかった場合、ステップＳ１７６においてＮＯであると判定されて、処理はステップＳ１７７に進む。
【０３１３】
ステップＳ１７７において、コンテンツ管理部３２２は、類似コンテンツ無しの情報をユーザ用記録再生システム２６１−１に送信する。これにより、再生時コンテンツ管理処理は終了する。
【０３１４】
一方、ステップＳ１７６において、類似コンテンツ３０２を有する記録再生装置２８１の情報が見つかった場合、ＹＥＳであると判定されて、処理はステップＳ１７８に進む。
【０３１５】
ステップＳ１７８において、コンテンツ管理部３２２は、類似コンテンツ有りの情報をユーザ用記録再生システム２６１−１に送信する。
【０３１６】
ステップＳ１７９において、コンテンツ管理部３２２は、類似コンテンツ３０２を有するユーザ用記録再生システム２６１−２の記録再生装置２８１−２に、類似コンテンツ３０２の配信可否の問い合わせをする。
【０３１７】
ステップＳ１８０において、コンテンツ管理部３２２は、類似コンテンツ３０２の配信可の問い合わせ結果を受信したかを判定する。
【０３１８】
配信可の問い合わせ結果を受信した場合、ステップＳ１８０においてＹＥＳであると判定されて、処理はステップＳ１８１に進む。なお、ステップＳ１８１以降の処理については後述する。
【０３１９】
これに対して、配信可の問い合わせ結果を受信しなかった場合、ステップＳ１８０においてＮＯであると判定されて、処理はステップＳ１８３に進む。
【０３２０】
ステップＳ１８３において、コンテンツ管理部３２２は、配信不可の問い合わせ結果をユーザ用記録再生システム２６１−１に送信する。これにより、再生時コンテンツ管理処理は終了する。
【０３２１】
一方、ステップＳ１８０において、配信可の問い合わせ結果を受信した場合、ＹＥＳであると判定されて、処理はステップＳ１８１に進む。
【０３２２】
ステップＳ１８１において、コンテンツ管理部３２２は、配信可の問い合わせ結果をユーザ用記録再生システム２６１−１に送信する。
【０３２３】
ステップＳ１８２において、コンテンツ管理部３２２は、ユーザ用記録再生システム２６１−２から類似コンテンツ３０２を受信して、ユーザ用記録再生システム２６１−１に送信する。
【０３２４】
これにより、再生時コンテンツ管理処理は終了する。
【０３２５】
図１９のステップＳ１７３で、圧縮符号化された削除済みのコンテンツ３０１が見つかり、ステップＳ１７４で、圧縮符号化された削除済みのコンテンツ３０１がユーザ用記録再生システム２６１−１に送信されると、図１８のステップＳ１４５では次のような処理が行われる。
【０３２６】
図１８のステップＳ１４５において、記録再生制御部２３１は、圧縮符号化された削除済みのコンテンツ３０１を受信したかを判定する。
【０３２７】
いまの場合、図１９のステップＳ１７４で、圧縮符号化された削除済みのコンテンツ３０１が送信されたので、ステップＳ１４５においてＹＥＳであると判定されて、処理はステップＳ１４６に進む。すなわち、図１９のステップＳ１７４で、圧縮符号化された削除済みのコンテンツ３０１が送信されると、記録再生制御部２３１は、圧縮符号化された削除済みのコンテンツ３０１を受信して、記録媒体７１に記録する。
【０３２８】
ステップＳ１４６において、記録再生制御部２３１は、圧縮符号化された削除済みのコンテンツ３０１を再生する。すなわち、記録再生制御部２３１は、記録媒体７１に記録した圧縮符号化された削除済みのコンテンツ３０１を伸張復号化して再生する。これにより、コンテンツ再生処理は終了する。
【０３２９】
これに対して、図１９のステップＳ１７３で、圧縮符号化された削除済みのコンテンツ３０１が見つからなかった場合、圧縮符号化された削除済みのコンテンツ３０１はユーザ用記録再生システム２６１−１に送信されないので、図１８のステップＳ１４５においてＮＯであると判定されて、処理はステップＳ１４７に進む。
【０３３０】
ステップＳ１４７において、記録再生制御部２３１は、類似コンテンツ有りの情報を受信したかを判定する。
【０３３１】
図１９のステップＳ１７６で、類似コンテンツを有する記録再生装置の情報が見つからず、ステップＳ１７７で、類似コンテンツ無しの情報が送信された場合、図１８のステップＳ１４７においてＮＯであると判定されて、処理はステップＳ１５０に進む。なお、ステップＳ１５０以降の処理については後述する。
【０３３２】
これに対して、図１９のステップＳ１７６で、類似コンテンツ３０２を有する記録再生装置２８１−２の情報が見つかり、ステップＳ１７８で、類似コンテンツ有りの情報が送信された場合、図１８のステップＳ１４７においてＹＥＳであると判定されて、処理はステップＳ１４８に進む。
【０３３３】
ステップＳ１４８において、記録再生制御部２３１は、配信可の問い合わせ結果を受信したかを判定する。
【０３３４】
図１９のステップＳ１８０で、配信可の問い合わせ結果が受信されず、ステップＳ１８３で、配信不可の問い合わせ結果が送信された場合、図１８のステップＳ１４８においてＮＯであると判定されて、処理はステップＳ１５０に進む。なお、ステップＳ１５０以降の処理については後述する。
【０３３５】
これに対して、図１９のステップＳ１８０で、配信可の問い合わせ結果が受信され、ステップＳ１８１で、配信可の問い合わせ結果が送信された場合、図１８のステップＳ１４８においてＹＥＳであると判定されて、処理はステップＳ１４９に進む。
【０３３６】
ステップＳ１４９において、記録再生制御部２３１は、類似コンテンツ３０２を受信して再生する。すなわち、記録再生制御部２３１は、図１９のステップＳ１８２で送信された類似コンテンツ３０２を受信して、再生する。これによりコンテンツ再生処理は終了する。
【０３３７】
一方、ステップＳ１４７で類似コンテンツ有りの情報を受信しなかったと判定された場合、またはステップＳ１４８で配信可の問い合わせ結果を受信しなかったと判定された場合、処理はステップＳ１５０に進む。
【０３３８】
ステップＳ１５０において、記録再生制御部２３１は、削除済みのコンテンツ３０１の所定のシーンの特徴量を読み出す。すなわち、記録再生制御部２３１は、図１６のコンテンツ削除処理により記録媒体７１に記録されたコンテンツ３０１の所定のシーンの特徴量を読み出す。
【０３３９】
ステップＳ１５１において、検索部２３２は、コンテンツ３０１の所定のシーンの類似シーンを検索する。すなわち、検索部２３２は、インターネット２７１を介して、複数のサーバ２６２に記録されている複数のコンテンツに含まれるシーンの中から、予め設定された許容類似度に従って類似シーンを検索する。
【０３４０】
コンテンツ３０１の所定のシーンの類似シーンが検索されると、処理はステップＳ１５２に進む。なお、ステップＳ１５２以降の処理、すなわちステップＳ１５２乃至Ｓ１６０の処理は、図１２のステップＳ７５乃至Ｓ８３の処理と同様で繰り返しになるのでその説明は省略する。
【０３４１】
ステップＳ１６０において、ステップＳ１５１乃至Ｓ１５９の検索の結果、記録媒体７１に記録された複数のシーンを含むコンテンツが合成されて再生されると、コンテンツ再生処理は終了する。
【０３４２】
すなわち、ユーザ用記録再生システム２６１−１は、サーバ２６２に圧縮符号化された削除済みのコンテンツ３０１が記録されておらず、さらに、他のユーザ用記録再生システム２６１に削除済みのコンテンツ３０１の類似コンテンツ３０２が記録されていない場合には、他の複数のサーバ１６２からコンテンツ３０１に含まれるシーン毎に類似シーンを検索する。そして、ユーザ用記録再生システム２６１−１は、他の複数のサーバ１６２に記録されている類似シーンを検索して、それらを含むコンテンツを合成し、削除済みのコンテンツ３０１の類似コンテンツとして再生する。
【０３４３】
以上説明したように、コンテンツ管理システム２５１においては、複数のコンテンツが複数のユーザ用記録再生システム２６１によって分散して記録されている。したがって、サーバ２６２が膨大な数のコンテンツを記録しておく必要がなくなる。また、サーバ２６２の代わりに、ユーザ用記録再生システム２６１がコンテンツの配信を行うこともできるので、サーバ２６２は、膨大な数の配信要求に全て応答する必要がなくなる。したがって、サーバ２６２の構築コストおよび運用コストを抑制することができる。
【０３４４】
さらに、ユーザ用記録再生システム２６１−１は、サーバ２６２及び他のユーザ用記録再生システム２６１に類似コンテンツが記録されていない場合には、他の複数のサーバ１６２から削除済みのコンテンツ３０１と類似度の高いコンテンツを検索して再生することができる。
【０３４５】
[本技術のプログラムへの適用] 
上述した一連の処理は、ハードウエアにより実行させることもできるし、ソフトウェアにより実行させることもできる。
【０３４６】
一連の処理をソフトウェアにより実行させる場合には、そのソフトウェアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０３４７】
このようなプログラムを含む記録媒体は、図３に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（MD（Mini-Disk）を含む）、もしくは半導体メモリなどよりなるリムーバブルメディア（パッケージメディア）７０により構成されるだけでなく、装置本体に予め組み込まれた状態でユーザに提供される、プログラムが記録されているメモリ６８や、記録媒体７１に含まれるハードディスクなどで構成される。
【０３４８】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０３４９】
本技術の実施の形態は、上述した実施の形態に限定されるものではなく、本技術の要旨を逸脱しない範囲において種々の変更が可能である。
【０３５０】
なお、本技術は、以下のような構成もとることができる。
【０３５１】
（１）
コンテンツを所定の記録媒体に記録し、前記所定の記録媒体からコンテンツを読み出して再生する記録再生制御部を備え、
前記記録再生制御部は、
前記所定の記録媒体に記録されている削除対象のコンテンツを削除する場合、削除した前記コンテンツを再生するのに必要な情報を他の情報処理装置に送信して記録させ、
削除した前記コンテンツの再生が指示された場合、前記他の情報処理装置からの情報に基づいて削除した前記コンテンツを合成して再生する
情報処理装置。
（２）
前記記録再生制御部は、
前記削除対象のコンテンツに対して圧縮符号化処理を施し、その結果得られる圧縮符号化コンテンツを前記他の情報処理装置に送信して記録させ、
削除した前記コンテンツの再生が指示された場合、圧縮符号化コンテンツの形態で前記他の情報処理装置に記録された前記削除対象のコンテンツを読み出し、伸張復号化して再生する
前記（１）に記載の情報処理装置。
（３）
前記削除対象のコンテンツについて、その内容の盛上りの度合いを示す盛上り特性の値を時系列に算出する盛上り特性算出部
をさらに備え、
前記記録再生制御部は、前記削除対象のコンテンツのうち、前記盛上り特性算出部により算出された前記盛上り特性の値が所定の閾値以下となった区間に対してのみ、前記圧縮符号化処理を施す
前記（１）または（２）に記載の情報処理装置。
（４）
前記他の情報処理装置に記録されている複数のコンテンツの中から、削除した前記コンテンツと同一または類似のコンテンツを検索する検索部
をさらに備え、
前記記録再生制御部は、
前記削除対象のコンテンツの内容が識別可能なメタデータを前記所定の記録媒体に記録し、
前記検索部は、
前記記録再生制御部により前記所定の記録媒体に記録された前記メタデータに基づいて、前記他の情報処理装置に記録されている複数のコンテンツの中から、削除された前記コンテンツと同一または類似のコンテンツを検索し、
前記記録再生制御部は、
前記検索部により検索された前記コンテンツと同一または類似のコンテンツを前記他の情報処理装置から読み出して再生する
前記（１）、（２）、または（３）に記載の情報処理装置。
（５）
前記メタデータは、前記コンテンツに含まれる複数のシーン毎の特徴量であり、
前記検索部は、削除された前記コンテンツに含まれる複数のシーン毎に、その特徴量と同一又は類似の特徴量を有するシーンを、前記他の情報処理装置に記録されている複数のコンテンツの各々に含まれるシーンの中から検索する
前記（１）乃至（４）のいずれかに記載の情報処理装置。
（６）
前記検索部は、予め設定された許容類似度に応じて、削除された前記コンテンツに含まれる複数のシーン毎に、その特徴量についての類似の範囲を設定する
前記（１）乃至（５）のいずれかに記載の情報処理装置。
（７）
前記検索部により、前記許容類似度が下げられた後に、前記検索部により検索された前記シーンに対して、警告の表示をする表示制御部をさらに備える
前記（１）乃至（６）のいずれかに記載の情報処理装置。
（８）
前記記録再生制御部は、
前記削除対象のコンテンツの内容を識別可能なメタデータを前記他の情報処理装置に送信し、
前記他の情報処理装置から、選択された前記コンテンツと同一または類似のコンテンツを有するさらに他の情報処理装置があるかの検出結果を受信し、
選択された前記コンテンツと同一または類似のコンテンツを有する前記さらに他の情報処理装置があるという前記検出結果が受信された場合、前記メタデータを前記所定の記録媒体に記録させると共に、前記削除対象のコンテンツを削除し、
選択された前記コンテンツと同一または類似のコンテンツを有する前記さらに他の情報処理装置がないという前記検出結果が受信された場合、前記メタデータを前記所定の記録媒体に記録させると共に、前記削除対象のコンテンツに対して圧縮符号化処理を施し、その結果得られる圧縮符号化データを前記他の情報処理装置に送信すると共に、前記削除対象のコンテンツを削除し、
削除した前記コンテンツの再生が指示された場合、前記メタデータを前記他の情報処理装置に送信し、
前記他の情報処理装置によって、前記圧縮符号化データが送信されてきた場合、前記圧縮符号化データを受信し、
前記情報処理装置によって、削除された前記コンテンツと同一または類似のコンテンツが前記さらに他の情報処理装置から読み出されて送信されてきた場合、前記コンテンツを受信する
前記（１）乃至（７）のいずれかに記載の情報処理装置。
（９）
前記メタデータは、前記削除対象のコンテンツの特徴量である
前記（１）乃至（８）のいずれかに記載の情報処理装置。
（１０）
前記記録再生制御部は、前記所定の記録媒体への記録が指示された新たなコンテンツのデータ容量が、前記所定の記録媒体の空き容量に基づく所定量よりも多い場合に、所定の判定基準を満たすコンテンツを前記削除対象のコンテンツとして選択する
前記（１）乃至（９）のいずれかに記載の情報処理装置。
（１１）
前記所定の判定基準は、ユーザによるアクセス頻度が低いという基準である
前記（１）乃至（１０）のいずれかに記載の情報処理装置。
（１２）
前記所定の判定基準は、ユーザの入力機器に対する操作内容が、所定のコンテンツの削除の指示であるという基準である
前記（１）乃至（１２）のいずれかに記載の情報処理装置。
（１３）
第１の他の情報処理装置が、削除対象のコンテンツを削除する場合に、前記第１の他の情報処理装置から受信した前記削除対象のコンテンツの内容を識別可能なメタデータに基づいて、前記削除対象のコンテンツと同一または類似のコンテンツを有する第２の他の情報処理装置があるかを検出し、
前記第２の他の情報処理装置がある場合、前記第２の他の情報処理装置の情報と前記削除対象のコンテンツと同一または類似のコンテンツのメタデータを記録すると共に、前記第２の他の情報処理装置があるという検出結果を前記第１の他の情報処理装置に送信し、
前記第２の他の情報処理装置がない場合、前記第２の他の情報処理装置がないという前記検出結果を前記第１の他の情報処理装置に送信すると共に、前記削除対象のコンテンツに対して圧縮符号化処理が施された圧縮符号化データを前記第１の他の情報処理装置から受信して記録媒体に記録するメタデータ管理部と、
前記第１の他の情報処理装置において、削除した前記コンテンツの再生が指示された場合に、前記第１の他の情報処理装置から再び受信した前記メタデータに基づいて、前記記録媒体から前記圧縮符号化データを検索し、
前記圧縮符号化データがあった場合、前記圧縮符号化データを前記第１の他の情報処理装置に送信し、
前記圧縮符号化データがなかった場合、削除した前記コンテンツと同一または類似のコンテンツを有する前記第２の他の情報処理装置を検索する検索部と
を備える情報処理装置。
（１４）
前記検索部により、削除した前記コンテンツと同一または類似のコンテンツを有する前記第２の他の情報処理装置が検索された場合、前記第２の他の情報処理装置に対して、前記コンテンツと同一または類似のコンテンツを前記第１の他の情報処理装置に配信可能か否かを問い合わせ、前記第２の他の情報処理装置から配信可の問い合わせ結果を受信した場合には、前記第２の他の情報処理装置から削除した前記コンテンツと同一または類似のコンテンツを読み出して、前記第１の他の情報処理装置に送信するコンテンツ管理部
前記（１３）に記載の情報処理装置。
【０３５２】
本技術は、ネットワークに接続された記録再生装置に適用することができる。
【符号の説明】
【０３５３】
１  コンテンツ管理システム，  １１  ユーザ用記録再生システム，  １２  サーバ，  ２１  インターネット，  ３１  記録再生装置，  ３２  ディスプレイ，  ４１  コンテンツ，  ６１  ネットワークＩ/Ｆ部，  ６２  チューナ，  ６４  記録処理部，  ６５  画像音声特徴抽出部，  ６６  操作部，  ６７  Ｉ/Ｆ部，  ６８  メモリ，  ６９  ディスクドライブ，  ７１  記録媒体，  ７２  再生制御部，  ７３  再生処理部，  ７４  表示処理部，  ７５  システムコントローラ，  ７６  コントロールバス，  ７７  データバス，  ９１  ネットワークＩ/Ｆ部，  ９２  管理部，  ９３  記録媒体，  １３１  記録再生制御部，  １３２  盛上り特性算出部，  １３３  表示制御部，  １９１  メタデータ，  １９２  キーフレーム，  ２３１  記録再生制御部，  ２３２  検索部，  ２３３  表示制御部，  ２９１  特徴量データベース，  ３２１  特徴量管理部，  ３２２  コンテンツ管理部，  ３３３  検索部
【図１】
2012222504.tif 000003
【図２】
2012222504.tif 000004
【図３】
2012222504.tif 000005
【図４】
2012222504.tif 000006
【図５】
2012222504.tif 000007
【図６】
2012222504.tif 000008
【図７】
2012222504.tif 000009
【図８】
2012222504.tif 000010
【図９】
2012222504.tif 000011
【図１０】
2012222504.tif 000012
【図１１】
2012222504.tif 000013
【図１２】
2012222504.tif 000014
【図１３】
2012222504.tif 000015
【図１４】
2012222504.tif 000016
【図１５】
2012222504.tif 000017
【図１６】
2012222504.tif 000018
【図１７】
2012222504.tif 000019
【図１８】
2012222504.tif 000020
【図１９】
2012222504.tif 000021